(57)【要約】      （修正有）【課題】店舗等で行われるキャッシュレス決済等での、利用者識別・認証のシステム構築費用や、店舗側の決済手数料を解消し、中小企業等での導入が容易な決済システムを提供する。【解決手段】基本構造システムは、決済コンピュータと、該決済コンピュータとネットワーク（例えばインターネット）を介して繋がり売買等取引を提供する場所にある移動情報端末（例えばタブレット等）である第１の装置と、該コンピュータとネットワークを介して繋がり売買等取引を所望する移動情報端末（例えばスマートフォン等）である第２の装置によって構成される。【選択図】図１
2020119266.tif 000002
【特許請求の範囲】
【請求項１】
決済コンピュータと、該決済コンピュータとネットワークを介して繋がり売買等取引を提供する場所にある第１の装置と、該決済コンピュータとネットワークを介して繋がり売買等取引を所望する第２の装置によって構成される決済方法であって、
上記決済コンピュータにおいて、
装置情報取得ステップにより、上記第１の装置を表す第１装置表示情報と、少なくとも、上記第１の装置を操作する事業者の取引銀行情報、上記売買等取引を提供する上記場所情報又は上記第１の装置の位置情報である第１装置位置情報の少なくともいずれか一方（以下、事業者位置情報という）を含む上記事業者の情報である事業者情報を、上記ネットワークを介して取得し、
上記装置情報取得ステップにより取得した上記第１装置表示情報と上記事業者情報とを対応付けて第１装置確認情報として、記憶ステップにより記憶し、
上記装置情報取得ステップにより、上記第２の装置を表す第２装置表示情報と、少なくとも上記第２の装置の利用者の決済方法情報を含む利用者情報とを、上記ネットワークを介して取得し、
上記装置情報取得ステップにより取得した上記第２装置表示情報と上記利用者情報とを対応付けて第２装置確認情報として、上記記憶ステップに、記憶し、
上記第２の装置が、該第２の装置の利用者が上記事業者に対して上記売買等取引を所望しその売買等取引の決済仲介業務を上記決済コンピュータに対して依頼するために、上記第２装置表示情報と、該第２の装置の位置情報である第２装置位置情報と、を伴にして、決済依頼情報として、決済依頼情報生成ステップにより、生成し、
上記生成した上記決済依頼情報を、第２装置送信ステップにより、上記ネットワークを介して、上記決済コンピュータに、送信し、
上記第１の装置が、上記第２の装置の利用者が所望する上記売買等取引に係る少なくとも売買等取引金額を含む決済情報と、上記第１装置表示情報と、を伴にして、決済要求情報として、決済要求情報生成ステップにより、生成し、
上記生成した上記決済要求情報を、第１装置送信ステップにより、上記ネットワークを介して、上記決済コンピュータに、送信し、
上記決済コンピュータにおいて、上記第２装置送信ステップにより送信された上記決済依頼情報と、上記第１装置送信ステップにより送信された上記決済要求情報とを、コンピュータ受信ステップにより受信し、
当事者確認ステップが、
上記受信した上記決済依頼情報中の上記第２装置表示情報と、上記記憶ステップに記憶する上記第２装置確認情報中の上記第２装置表示情報と上記利用者情報とを用いて、上記受信した上記決済依頼情報の送信者を、上記第２の装置の利用者であることを、照合し確認し、且つ、
上記受信した上記決済要求情報中の上記第１装置表示情報と、上記記憶ステップに記憶する上記第１装置確認情報中の上記第１装置表示情報とを用いて、上記決済要求情報を送信した送信者を、上記第１の装置の事業者であることを、照合し確認し、
支払者確認ステップが、
上記決済依頼情報中の上記第２装置位置情報と、上記記憶ステップに記憶する上記事業者位置情報と、を用いて、上記決済要求情報中の上記売買等取引金額を決済する支払者を、上記第２の装置の利用者として、照合し、確認すれば、
決済処理ステップが、
上記決済依頼情報中の上記利用者情報中の上記利用者決済方法情報と、上記決済要求情報中の上記事業者情報中の上記事業者の上記取引銀行情報及び上記売買等取引金額と、を用いて、
上記利用者決済方法情報に基づき、上記決済情報中の売買等取引金額分を、上記事業者の上記取引銀行情報宛に、決済処理（振込支払処理）を行うことを特徴とする決済処理方法。
【請求項２】
上記第２の装置が送信する上記決済依頼情報中の上記第２装置位置情報には、少なくとも時刻情報が含まれており、
上記第１の装置が送信する上記決済要求情報中の決済情報には、少なくとも上記第２の装置の利用者が所望する上記売買等取引に係る売買等取引時刻情報が含まれており、
上記支払者確認ステップが、
上記決済依頼情報中の、時刻情報を含む上記第２装置位置情報と、上記決済要求情報中の売買等取引時刻情報と上記記憶ステップに記憶する上記事業者位置情報と、を用いて、上記決済要求情報中の上記売買等取引金額を決済する支払者を、上記第２装置位置情報と上記事業者位置情報と、を照合し確認し、且つ、上記時刻情報と上記売買等取引時刻情報と、を照合し、上記決済依頼情報を送信した上記第２の装置の利用者として、確定することを特徴とする請求項１に記載の決済処理方法。
【請求項３】
上記第２の装置が決済依頼情報生成ステップにより生成する上記決済依頼情報に、上記売買等取引の取引金額である取引金額情報を更に含み、
上記決済処理ステップが、
上記利用者決済方法情報と、上記決済要求情報中の上記事業者情報中の上記事業者の上記取引銀行情報と、を用いて、
上記利用者決済方法情報に基づき、上記決済情報中の売買等取引金額又は上記決済依頼情報中の上記取引金額情報の少なくともいずれか一方に基づいた金額を、上記事業者の上記取引銀行情報宛に、決済処理を行うことを特徴とする請求項１又は２に記載の決済処理方法。
【請求項４】
上記支払者確認ステップが、
上記決済依頼情報中の、時刻情報を含む上記第２装置位置情報及び上記取引金額情報、上記決済要求情報中の上記売買等取引金額及び売買等取引時刻情報、上記記憶部に記憶する上記事業者位置情報と、を用いて、上記決済要求情報中の上記決済金額を決済する支払者を、
（１）上記第２装置位置情報と上記事業者位置情報、
（２）上記時刻情報と上記売買等取引時刻情報、
（３）上記取引金額情報と上記売買等取引金額
の上記（１）から（３）中の少なくともいずれか一つを照合し、確認することを特徴とする請求項３に記載の決済処理方法。
【請求項５】
上記決済処理ステップが、上記利用者決済方法情報に基づき、上記事業者の上記取引銀行情報宛に、決済処理を行った後、上記決済処理の結果情報である決済処理情報を、上記決済コンピュータのコンピュータ送信ステップにより、上記第1の装置又は上記第２の装置の少なくともいずれか一方に、上記ネットワークを介して送信し、
上記第1の装置の第一装置受信ステップ又は上記第２の装置の第２装置受信ステップの少なくともいずれか一方が、上記送信された上記決済処理情報を受信し、
上記第１の装置が具備する第１装置表示ステップ又は上記第２の装置が具備する第２装置表示ステップの少なくともいずれか一方により、上記決済処理情報を表示することを特徴とする請求項１から４のいずれか一項に記載の決済処理方法。
【請求項６】
上記決済コンピュータにおいて、上記事業者確認情報、上記利用者確認情報、上記決済依頼情報、上記決済要求情報、上記決済処理情報、の少なくともいずれか一つを、収集し、分析する情報分析ステップを更に備え、各種分析、調査、開発又は研究事業の少なくともいずれか一つを行うことを特徴とする請求項１から５のいずれか一項に記載の決済処理方法。
【請求項７】
決済コンピュータと、該決済コンピュータとネットワークを介して繋がり売買等取引を提供する場所にある第１の装置と、該決済コンピュータとネットワークを介して繋がり売買等取引を所望する第２の装置によって構成される決済システムであって、
上記決済コンピュータにおいて、
装置情報取得部により、上記第１の装置を表す第１装置表示情報と、少なくとも、上記第１の装置を操作する事業者の取引銀行情報、上記売買等取引を提供する上記場所情報又は上記第１の装置の位置情報である第１装置位置情報の少なくともいずれか一方（以下、事業者位置情報という）を含む上記事業者の情報である事業者情報を、上記ネットワークを介して取得し、
上記装置情報取得部により取得した上記第１装置表示情報と上記事業者情報とを対応付けて第１装置確認情報として、記憶部により記憶し、
上記装置情報取得部により、上記第２の装置を表す第２装置表示情報と、少なくとも上記第２の装置の利用者の決済方法情報を含む利用者情報とを、上記ネットワークを介して取得し、
上記装置情報取得部により取得した上記第２装置表示情報と上記利用者情報とを対応付けて第２装置確認情報として、上記記憶部に、記憶し、
上記第２の装置が、該第２の装置の利用者が上記事業者に対して上記売買等取引を所望しその売買等取引の決済仲介業務を上記決済コンピュータに対して依頼するために、上記第２装置表示情報と、該第２の装置の位置情報である第２装置位置情報と、を伴にして、決済依頼情報として、決済依頼情報生成部により、生成し、
上記生成した上記決済依頼情報を、第２装置送信部により、上記ネットワークを介して、上記決済コンピュータに、送信し、
上記第１の装置が、上記第２の装置の利用者が所望する上記売買等取引に係る少なくとも売買等取引金額を含む決済情報と、上記第１装置表示情報と、を伴にして、決済要求情報として、決済要求情報生成部により、生成し、
上記生成した上記決済要求情報を、第１装置送信部により、上記ネットワークを介して、上記決済コンピュータに、送信し、
上記決済コンピュータにおいて、上記第２装置送信部により送信された上記決済依頼情報と、上記第１装置送信部により送信された上記決済要求情報とを、コンピュータ受信部により受信し、
当事者確認部が、
上記受信した上記決済依頼情報中の上記第２装置表示情報と、上記記憶部に記憶する上記第２装置確認情報中の上記第２装置表示情報と上記利用者情報とを用いて、上記受信した上記決済依頼情報の送信者を、上記第２の装置の利用者であることを、照合し確認し、且つ、
上記受信した上記決済要求情報中の上記第１装置表示情報と、上記記憶部に記憶する上記第１装置確認情報中の上記第１装置表示情報とを用いて、上記決済要求情報を送信した送信者を、上記第１の装置の事業者であることを、照合し確認し、
支払者確認部が、
上記決済依頼情報中の上記第２装置位置情報と、上記記憶部に記憶する上記事業者位置情報と、を用いて、上記決済要求情報中の上記売買等取引金額を決済する支払者を、上記第２の装置の利用者として、照合し、確認すれば、
決済処理部が、
上記決済依頼情報中の上記利用者情報中の上記利用者決済方法情報と、上記決済要求情報中の上記事業者情報中の上記事業者の上記取引銀行情報及び上記売買等取引金額と、を用いて、
上記利用者決済方法情報に基づき、上記決済情報中の売買等取引金額分を、上記事業者の上記取引銀行情報宛に、決済処理（振込支払処理）を行うことを特徴とする決済処理システム。
【請求項８】
上記第２の装置が送信する上記決済依頼情報中の上記第２装置位置情報には、少なくとも時刻情報が含まれており、
上記第１の装置が送信する上記決済要求情報中の決済情報には、少なくとも上記第２の装置の利用者が所望する上記売買等取引に係る売買等取引時刻情報が含まれており、
上記支払者確認部が、
上記決済依頼情報中の、時刻情報を含む上記第２装置位置情報と、上記決済要求情報中の売買等取引時刻情報と上記記憶部に記憶する上記事業者位置情報と、を用いて、上記決済要求情報中の上記売買等取引金額を決済する支払者を、上記第２装置位置情報と上記事業者位置情報と、を照合し確認し、且つ、上記時刻情報と上記売買等取引時刻情報と、を照合し、上記決済依頼情報を送信した上記第２の装置の利用者として、確定することを特徴とする請求項７に記載の決済処理システム。
【請求項９】
上記第２の装置が決済依頼情報生成部により生成する上記決済依頼情報に、上記売買等取引の取引金額である取引金額情報を更に含み、
上記決済処理部が、
上記利用者決済方法情報と、上記決済要求情報中の上記事業者情報中の上記事業者の上記取引銀行情報と、を用いて、
上記利用者決済方法情報に基づき、上記決済情報中の売買等取引金額又は上記決済依頼情報中の上記取引金額情報の少なくともいずれか一方に基づいた金額を、上記事業者の上記取引銀行情報宛に、決済処理を行うことを特徴とする請求項７又は８に記載の決済処理システム。
【請求項１０】
上記決済処理部が、上記利用者決済方法情報に基づき、上記事業者の上記取引銀行情報宛に、決済処理を行った後、上記決済処理の結果情報である決済処理情報を、上記決済コンピュータのコンピュータ送信部により、上記第1の装置又は上記第２の装置の少なくともいずれか一方に、上記ネットワークを介して送信し、
上記第1の装置の第一装置受信部又は上記第２の装置の第２装置受信部の少なくともいずれか一方が、上記送信された上記決済処理情報を受信し、
上記第１の装置の第１装置表示部又は上記第２の装置の第２装置表示部の少なくともいずれか一方により、上記決済処理情報を表示することを特徴とする請求項７から９のいずれか一項に記載の決済処理システム。
【請求項１１】
上記決済コンピュータにおいて、上記事業者確認情報、上記利用者確認情報、上記決済依頼情報、上記決済要求情報、上記決済処理情報、の少なくともいずれか一つを、収集し、分析する情報分析部を更に備え、各種分析、調査、開発又は研究事業の少なくともいずれか一つを行うことを特徴とする請求項７から１０のいずれか一項に記載の決済処理システム。
【請求項１２】
売買等取引を提供する場所にある第１の装置と、売買等取引を所望する第２の装置それぞれに、ネットワークを介して繋がる決済処理コンピュータであって、
装置情報取得部が、上記第１の装置を表す第１装置表示情報と、少なくとも、上記第１の装置を利用する事業者の取引銀行情報、上記売買等取引を提供する上記場所情報又は上記第１の装置の位置情報である第１装置位置情報の少なくともいずれか一方（以下、事業者位置情報という）を含む上記事業者の情報である事業者情報を、上記ネットワークを介して取得し、
上記装置情報取得部により取得した上記第１装置表示情報と上記事業者情報とを対応付けて第１装置確認情報として、記憶部により記憶し、
上記装置情報取得部により、上記第２の装置を表す第２装置表示情報と、少なくとも上記第２の装置の利用者の決済方法情報を含む利用者情報とを、上記ネットワークを介して取得し、
上記装置情報取得部により取得した上記第２装置表示情報と上記利用者情報とを対応付けて第２装置確認情報として、上記記憶部に、記憶し、
上記第２の装置が送信する、該第２の装置の利用者が上記事業者に対して上記売買等取引を所望しその売買等取引の決済仲介業務を該決済コンピュータに対して依頼するために上記第２装置表示情報と、少なくとも時刻情報を含む該第２の装置の位置情報である第２装置位置情報とを伴にした決済依頼情報を、上記ネットワークを介して、コンピュータ受信部により受信し、
上記第１の装置が送信する、上記売買等取引に係る少なくとも売買等取引金額を含む決済情報と上記第１装置表示情報とを伴にした決済要求情報を、上記ネットワークを介して、上記コンピュータ受信部により、受信し、
当事者確認部が、上記受信した上記決済依頼情報中の上記第２装置表示情報と、上記記憶部に記憶する上記第２装置確認情報中の上記第２装置表示情報と上記利用者情報とを用いて、上記受信した上記決済依頼情報の送信者を、上記第２の装置の利用者であることを、照合し確認し、且つ
上記受信した上記決済要求情報中の上記第１装置表示情報と、上記記憶部に記憶する上記第１装置確認情報中の上記第１装置表示情報とを用いて、上記決済要求情報を送信した送信者を、上記第１の装置の事業者であることを、照合し確認し、
支払者確認部が、
上記決済依頼情報中の上記第２装置位置情報と、上記記憶部に記憶する上記事業者位置情報と、を用いて、上記決済要求情報中の上記売買等取引金額を決済する支払者を、上記第２の装置の利用者として、照合し、確認すれば、
決済処理部が、
上記決済依頼情報中の上記利用者情報中の上記利用者決済方法情報と、上記決済要求情報中の上記事業者情報中の上記事業者の上記取引銀行情報及び上記売買等取引金額と、を用いて、
上記利用者決済方法情報に基づき、上記決済情報中の売買等取引金額分を、上記事業者の上記取引銀行情報宛に、決済処理（振込支払処理）を行うことを特徴とする決済処理コンピュータ。
【請求項１３】
上記第２の装置が送信する上記決済依頼情報中の上記第２装置位置情報には、少なくとも時刻情報が含まれており、
上記第１の装置が送信する上記決済要求情報中の決済情報には、少なくとも上記第２の装置の利用者が所望する上記売買等取引に係る売買等取引時刻情報が含まれており、
上記支払者確認部が、
上記決済依頼情報中の、時刻情報を含む上記第２装置位置情報と、上記決済要求情報中の売買等取引時刻情報と上記記憶部に記憶する上記事業者位置情報と、を用いて、上記決済要求情報中の上記売買等取引金額を決済する支払者を、上記第２装置位置情報と上記事業者位置情報と、を照合し確認し、且つ、上記時刻情報と上記売買等取引時刻情報と、を照合し、上記決済依頼情報を送信した上記第２の装置の利用者として、確定することを特徴とする請求項１２に記載の決済処理コンピュータ。
【請求項１４】
上記第２の装置が決済依頼情報生成ステップにより生成する上記決済依頼情報に、上記売買等取引の取引金額である取引金額情報を更に含み、
上記決済処理部が、
上記利用者決済方法情報と、上記決済要求情報中の上記事業者情報中の上記事業者の上記取引銀行情報と、を用いて、
上記利用者決済方法情報に基づき、上記決済情報中の売買等取引金額又は上記決済依頼情報中の上記取引金額情報の少なくともいずれか一方に基づいた金額を、上記事業者の上記取引銀行情報宛に、決済処理を行うことを特徴とする請求項１２又は１３に記載の決済処理コンピュータ。
【請求項１５】
上記支払者確認部が、
上記決済依頼情報中の、時刻情報を含む上記第２装置位置情報及び上記取引金額情報、上記決済要求情報中の上記売買等取引金額及び売買等取引時刻情報、上記記憶部に記憶する上記事業者位置情報と、を用いて、上記決済要求情報中の上記決済金額を決済する支払者を、
（１）上記第２装置位置情報と上記事業者位置情報、
（２）上記時刻情報と上記売買等取引時刻情報、
（３）上記取引金額情報と上記売買等取引金額
の上記（１）から（３）中の少なくともいずれか一つを照合し、確認することを特徴とする請求項１４に記載の決済処理コンピュータ。
【請求項１６】
上記決済処理部が、上記利用者決済方法情報に基づき、上記事業者の上記取引銀行情報宛に、決済処理を行った後、上記決済処理の結果情報である決済処理情報を、上記決済コンピュータのコンピュータ送信部により、上記第1の装置又は上記第２の装置の少なくともいずれか一方に、上記ネットワークを介して送信し、
上記第1の装置の第一装置受信部又は上記第２の装置の第２装置受信部の少なくともいずれか一方が、上記送信された上記決済処理情報を受信し、
上記第１の装置の第１装置表示部又は上記第２の装置の第２装置表示部の少なくともいずれか一方により、上記決済処理情報を表示することを特徴とする請求項１２から１５のいずれか一項に記載の決済処理コンピュータ。
【請求項１７】
上記決済コンピュータにおいて、上記事業者確認情報、上記利用者確認情報、上記決済依頼情報、上記決済要求情報、上記決済処理情報、の少なくともいずれか一つを、収集し、分析する情報分析部を更に備え、各種分析、調査、開発又は研究事業の少なくともいずれか一つを行うことを特徴とする請求項１２から１６のいずれか一項に記載の決済処理コンピュータ。
【請求項１８】
上記第1の装置又は上記第２の装置の少なくともいずれか一方が、共通確認信号を、上記第１の装置が上記第２の装置へ又は上記第２の装置が上記第１の装置への少なくともいずれか一方により、上記第１の装置の第１装置近距離送信ステップ又は上記第２の装置の第２装置近距離送信ステップにより、近距離ネットワークを介して、送信し、
上記第1の装置又は上記第２の装置の少なくともいずれか一方が、上記第１の装置の第１装置近距離受信ステップ又は上記第２の装置の第２装置近距離受信ステップにより、上記送信される上記共通確認信号を、受信し、
上記共通確認信号を受信する上記第1の装置又は上記第２の装置の少なくともいずれか一方において、上記受信する該共通確認信号に基づき、上記第１の装置と上記第２の装置間で取引又は情報授受を行うための当事者確認を行うことを特徴とする請求項１から６のいずれか一項に記載の決済処理方法。
【請求項１９】
上記決済コンピュータにおいて、共通認証信号生成ステップにより、上記第１の装置で上記第２の装置の認証に利用可能な、上記共通認証信号を、生成し、
上記コンピュータ送信ステップにより、上記生成した共通認証信号を、上記第１の装置又は上記第２の装置の少なくともいずれか一方に、上記ネットワークを介して、送信し、
上記第1の装置又は上記第２の装置の少なくともいずれか一方が、上記送信された上記共通認証信号を、第1装置受信ステップ又は第２装置受信ステップの少なくともいずれか一方で、受信することを特徴とする請求項１から６、18のいずれか一項に記載の決済処理方法。
【請求項２０】
上記共通確認信号は、音源（音波）情報、画像情報又はテキスト情報の少なくともいずれか一つであることを特徴とする請求項１から６、18又は１９のいずれか一項に記載の決済処理方法。
【請求項２１】
決済コンピュータと、該決済コンピュータとネットワークを介して繋がり、認証要求を行う第１の装置と、上記決済コンピュータとネットワークを介して繋がり、認証依頼を行う第２の装置によって構成される認証又は決済の少なくともいずれか一方を行う決済処理方法あって、
上記決済コンピュータにおいて、
装置情報取得ステップにより、上記第１の装置を表す第１装置表示情報を、上記第１装置確認情報として、上記第２の装置を表す第２装置表示情報を、上記第２装置確認情報として、上記ネットワークを介して取得し、
記憶ステップにより、上記装置情報取得ステップにより取得した上記第1装置確認情報及び上記第２装置確認情報を、記憶し
共通認証信号生成ステップにより、複数の上記第１の装置で上記第２の装置の認証に利用可能な、共通認証信号を、生成し、
上記記憶ステップに、上記生成した上記共通認証信号を、記憶し、
装置認証信号生成ステップにより、上記生成した共通認証信号と上記第２の装置の上記第２装置表示情報と、を伴にして、装置認証信号を、生成し、
コンピュータ送信ステップにより、上記共通認証信号を、上記第１の装置へ、又、上記装置認証信号を上記第２の装置へ、上記ネットワークを介して、送信し、
上記第２の装置において、
予め該第２の装置を表す上記第２装置表示情報を第２装置記憶ステップに記憶しており、
第２装置受信ステップにより、上記コンピュータ送信ステップにより送信された上記装置認証信号を、上記ネットワークを介して、受信し、
第２装置記憶ステップにより、上記受信した上記装置認証信号を、記憶し、
装置認証依頼情報生成ステップにより、少なくとも上記第２装置記憶ステップに記憶する上記第２装置表示情報を含む装置認証依頼情報を、生成し、
第２装置送信ステップにより、上記生成した上記装置認証依頼情報を、上記ネットワークを介して、上記コンピュータへ送信し、且つ、
装置認証信号伝送ステップにより、上記記憶ステップに記憶する上記装置認証信号を、上記第１の装置へ、近距離通信ネットワーク又は気体のいずれか一方を介して、伝送し、
上記第１の装置において、
予め該第１の装置を表す上記第１装置表示情報を第１装置記憶ステップに記憶しており、
第１装置受信ステップにより、上記コンピュータから送信された上記共通認証信号を、上記ネットワークを介して、受信し、
第１装置記憶ステップにより、上記受信した上記共通認証信号を、記憶し、
装置認証信号伝授ステップにより、上記第２の装置から伝送された上記装置認証信号を、上記近距離通信ネットワーク又は上記気体のいずれか一方を介して、伝授し、
第１装置取引認証ステップにより、上記記憶ステップに記憶している上記共通認証信号と、上記装置認証信号伝授ステップにより伝授した上記装置認証信号中の共通認証信号と、が同一か否かの照合を行い、
（１）上記照合が同一と判断処理された場合、上記第２の装置との取引又は情報授受を認証、又は
（２）上記照合が同一と判断処理されない場合、上記第２の装置との取引又は情報授受を非認証することを特徴とする決済処理方法。
【請求項２２】
上記第１の装置において、
認証承認要求生成ステップにより、上記第２の装置の認証に係る事象の承認を上記コンピュータに要求するため、少なくとも上記第２の装置から上記伝授した上記装置認証信号中の上記第２装置表示情報と、上記第１装置記憶ステップに記憶する上記第１装置表示情報と、を伴にして、認証承認要求情報を、生成し、
第２装置送信ステップにより、上記生成した上記認証承認要求情報を、上記ネットワークを介して、上記コンピュータへ送信し、
上記コンピュータにおいて、
コンピュータ受信ステップにより、上記第２の装置から送信された上記装置認証依頼情報と、上記第１の装置から送信された上記認証承認要求情報を、上記ネットワークを介して、受信し、
認証承認ステップにより、上記第２の装置から上記受信した上記装置認証依頼情報中の上記第２装置表示情報、上記第１の装置から受信した上記認証承認要求情報中の上記第１装置表示情報及び上記第２装置表示情報、上記記憶ステップに記憶する上記第１装置確認情報中の上記第１装置表示情報、上記第２装置確認情報中の上記第２装置表示情報と、を用いて、
（１）上記受信した上記第２装置表示情報と上記記憶ステップに記憶する上記第２装置表示情報とが、同一であるか否か、及び
（２）上記受信した第１装置表示情報と上記記憶ステップに記憶する上記第１装置表示情報とが、同一であるか否か、
を照合し、上記（１）及び（２）の上記照合が上記同一であると確認されれば、
上記第１の装置が要求する、上記第２の装置の認証に係る事象を承認することを特徴とする請求項２１に記載の決済処理方法。
【請求項２３】
上記認証承認要求生成ステップが生成する上記認証承認要求には、上記第２の装置から伝授した上記取引認証情報中の上記共通認証信号が含まれていて、
上記決済コンピュータの上記記憶ステップには、上記共通認証信号生成ステップで生成した上記共通認証信号を、記憶していて、
上記認証承認ステップが、
上記記憶ステップに記憶する上記共通認証信号と、上記第１の装置から受信する上記認証承認要求中の上記共通認証信号と、を用いて、
上記（１）及び（２）の上記同一であるか否かの照合に加えて、
（３）上記認証承認要求中の上記共通認証信号が、上記記憶ステップに記憶する上記共通認証信号と、同一であるか否かを、照合し、上記（１）（２）及び（３）の上記照合が上記同一であると確認されれば、上記第１の装置が要求する、上記第２の装置の認証に係る事象を承認することを特徴とする請求項２１又は２２に記載の決済処理方法。
【請求項２４】
上記決済コンピュータにおいて、
認証承認結果報告ステップが、上記認証承認ステップにより行われる少なくとも上記（１）及び（２）における上記同一であるか否かの照合の結果である認証結果情報を、上記コンピュータ送信ステップにより、上記第１の装置又は上記第２の装置の少なくともいずれか一方に、送信し、上記第１の装置の上記第１受信ステップ又は上記第２の装置の上記第２装置受信ステップの少なくともいずれか一方が、上記認証承認結果情報を受信することを特徴とする請求項２１から２３のいずれか一項に記載の決済処理方法。
【請求項２５】
上記認証信号生成ステップにより生成される上記共通認証信号が、音波、画像情報、数字又は数字と文字の組合せの少なくともいずれか一つであることを特徴とする請求項２１又は２４のいずれか一項に記載の決済処理方法。
【請求項２６】
上記装置情報取得ステップが取得する上記第１装置確認情報には、上記第１装置が設置されている場所情報又は上記第１の装置の位置情報の少なくともいずれか一方（以下「第１装置位置情報」という」をさらに含んでおり、
上記記憶ステップが、上記第１装置位置情報を、記憶しており、
上記装置認証依頼情報生成ステップが、上記第２装置の位置情報をさらに含み、装置認証依頼情報を生成し、上記生成した上記装置認証依頼情報を、上記第二装置送信ステップにより、上記決済コンピュータに送信しており、
上記決済コンピュータにおいて、
上記コンピュータ受信ステップが、上記第２装置が送信した上記装置認証依頼情報を、受信し、
上記認証承認ステップが、上記受信した上記装置認証依頼情報中にさらに含まれる上記第２の装置の位置情報と、上記記憶ステップに記憶する上記第１装置位置情報と、を用いて、
（４）上記第１装置位置情報と上記第２の装置の位置情報とが、所定の範囲内に在るか否か、の照合を、さらに行うことを特徴とする請求項２１から２５のいずれか一項に記載の決済処理方法。
【請求項２７】
上記認証依頼情報中の上記第２の装置の位置情報には、時刻情報が含まれており、
上記認証要求情報生成ステップが、上記認証要求情報を生成する際に、上記生成する時刻情報を含み生成しており、
上記決済コンピュータにおいて、
上記コンピュータ受信ステップが、時刻情報を含む上記認証依頼情報と、時刻情報を含む上記認証要求情報と、を受信し、
上記認証ステップが、上記認証依頼情報中の上記第２の装置の位置情報中の上記時刻情報と、上記認証要求情報中の上記時刻情報と、を用いて、上記（１）から（３）又は上記（１）から（４）の上記照合に加えて、上記位置情報中の上記時刻情報と上記認証要求情報中の上記時刻情報とが、所定の時刻内か否か、の照合を、さらに行うことを特徴とする請求項２６に記載の決済処理方法。
【請求項２８】
上記装置情報取得ステップが、上記第１装置確認情報に上記第１の装置を操作する商取引等事業者の取引銀行情報をさらに含み取得し、又、上記第２装置確認情報に上記第２の装置を操作する利用者が上記商取引等を所望する際に決済可能な決済方法情報をさらに含み取得しており、
上記認証要求情報生成ステップが、上記利用者が所望する上記商取引等の支払金額（料金）をさらに含み、上記認証要求情報を生成しており、
上記生成した上記認証要求情報を、上記第１装置送信ステップにより、上記決済コンピュータに送信しており、
上記送信された上記認証要求情報と上記認証依頼情報と、を上記コンピュータ受信ステップにより、受信する上記決済コンピュータにおいて、
上記認証ステップにより、上記（１）から（３）の上記照合が全て上記同一、又は、上記（１）から（３）の上記照合が全て上記同一に加えて上記（４）又は（５）の少なくともいずれか一方の上記照合が上記同一、の少なくともいずれか一方と確認されれば、
決済処理ステップにより、上記記憶ステップに記憶している上記第１装置確認情報中の上記取引銀行情報と、上記第２装置確認情報中の上記決済方法情報と、を用いて、
上記利用者から、上記認証要求情報中の上記支払金額を、上記利用者の上記決済方法情報に基づき、上記事業者の上記取引銀行情報に支払い決済処理することを特徴とする請求項２１から２７のいずれか一項に記載の決済処理方法。
【請求項２９】
上記認証信号生成ステップは、ワンタイム認証信号を生成しており、上記生成したワンタイム認証信号を、上記コンピュータ送信ステップにより、上記第２の装置へ送信しており、
上記第２の装置が、上記第２装置受信ステップにより、上記ワンタイム認証信号を受信し、上記第２装置記憶ステップに記憶しており、
上記認証依頼情報生成ステップが、上記認証依頼情報を生成し、上記第２装置送信ステップにより、上記認証依頼情報を、上記コンピュータへ送信し、
上記認証信号伝送ステップが、上記ワンタイム認証信号を、上記近距離通信ネットワーク又は上記気体のいずれか一方を介して、上記第１の装置へ向けて、伝送しており、
上記第１の装置において、上記伝送された上記ワンタイム認証信号を、上記認証信号伝授ステップにより、上記伝授し、
上記認証要求情報生成ステップにより、上記伝授した上記ワンタイム認証信号と、上記第１装置記憶ステップに記憶している上記第１装置表示情報とを伴にして、認証要求情報として生成し、上記生成した認証要求情報を、上記第１装置送信ステップにより、上記決済コンピュータへ送信しており、
上記決済コンピュータにおいて、
上記コンピュータ受信ステップにより、上記認証依頼情報と上記認証要求情報を、受信し、
上記認証ステップにより、少なくとも上記（１）から（３）までと同様の照合行程を行い、上記認証結果報告ステップが、上記照合結果情報を、上記第１の装置又は上記第２の装置の少なくともいずれか一方に送信すれば、
認証信号管理ステップが、上記ワンタイム認証信号生成ステップにより生成した上記ワンタイム認証信号につき、二回以上利活用付加に、又は、上記ワンタイム認証信号生成ステップによるその生成を所定時間内生成不可に、管理することを特徴とする請求項２１から２８のいずれか一項に記載の決済処理方法。
【請求項３０】
上記ワンタイム認証信号を生成する上記認証信号生成ステップが、ランダムな複数の数字列又は数字と文字の組合せのいずれか一方に基づき、ユニークな音波、画像情報、数字又は数字と文字の組合せを認証信号として連続生成するユニーク認証信号生成部を更に備えることを特徴する請求項２９に記載の決済処理方法。
【請求項３１】
上記第１の装置において、
上記第１装置記憶ステップが、上記認証信号伝授ステップにより伝授する上記認証信号又は上記ワンタイム認証信号を、記憶しており、
上記第２の装置が上記伝送する上記認証信号又は上記ワンタイム認証信号を上記認証信号伝授ステップにより伝授すれば、上記記憶ステップに記憶している、今伝授した上記認証信号又は上記ワンタイム認証信号より一つ前に伝授した上記認証信号又は上記ワンタイム認証信号と、今伝授した上記認証信号又は上記ワンタイム認証信号とが、同一か否かを、照合し、
上記照合が上記同一の場合、上記今伝授した上記認証信号又は上記ワンタイム認証信号を認証しないように管理する伝授管理ステップを更に備えていることを特徴とする請求項２９又は３０に記載の決済処理方法。
【請求項３２】
上記認証信号又は上記ワンタイム認証信号が、上記第１の装置の上記認証信号伝授ステップの、上記認証信号を伝授するための伝授機能を起動させる伝授起動信号を含み、上記認証信号伝授ステップが、上記伝授起動信号を検知する検知ステップと、上記検知ステップで上記伝授起動信号を検知した場合、上記伝授ステップを起動する起動ステップを更に備えることを特徴とする請求項２１から３１のいずれか一項に記載の決済処理方法。
【請求項３３】
上記事業者が、上記第１の装置を複数の地点に設置することがあり、
A地点に設置する第１の装置と、B地点に設置する第１の装置とを事業者ネットワークを介して繋いでおり、
上記装置情報取得ステップが、A地点の第１の装置、B地点の第１の装置それぞれの上記第１装置確認情報を取得しており、
上記第２の装置が、上記A地点で、上記認証信号伝送ステップにより、上記認証信号（又は上記ワンタイム認証信号）を、上記A地点の上記第１の装置へ向けて伝送し、
上記A地点の上記第１の装置が、上記伝送された上記認証信号を伝授し、上記伝授した上記認証信号と上記A地点の第１の装置の上記第１装置表示情報と、を伴にして上記認証要求情報として、上記決済コンピュータへ送信し、
上記第２の装置が、上記B地点で、上記認証信号伝送ステップにより、上記認証信号を、上記B地点の上記第１の装置へ向けて伝送し、
上記B地点の上記第１の装置が、上記伝送された上記認証信号を伝授し、上記伝授した上記認証信号と上記B地点の第１の装置の上記第１装置表示情報と、を伴にして上記認証要求情報として、上記決済コンピュータへ送信し、
上記事業者が、上記第２の装置から上記A地点と上記B地点で上記認証信号を伝授することに係る上記利用者の利用料金（価額）を含む商取引等要件を、予め設定しており、
上記決済コンピュータにおいて、上記商取引等要件を、上記コンピュータ記憶ステップに、予め記憶しており、
上記決済処理ステップにより、上記利用者の上記決済方法情報、上記事業者の上記取引銀行情報、上記記憶ステップに記憶する上記商取引等要件に基づき、上記決済処理を行うことを特徴とする請求項２１から３２のいずれか一項に記載の決済処理方法。
【請求項３４】
上記第２の装置を操作して上記商取引等を所望する上記利用者が、上記A地点に設置する第１の装置を入口（乗り口）として、上記B地点に設置する第１の装置を出口（降り口）として、上記認証信号伝送ステップにより上記認証信号（又は上記ワンタイム認証信号）を伝送することを特徴とする請求項３３に記載の決済処理方法。
【請求項３５】
上記事業者が上記利用料金を含む上記商取引等要件を、上記A地点に設置する第１の装置の入口（乗り口）から上記B地点に設置する第１の装置の出口（降り口）までの上記利用者の、移動距離、体験内容又は体験時間の少なくともいずれか一方に基づき上記設定していることを特徴とする請求項３３又は３４に記載の決済処理方法。
【請求項３６】
上記決済処理方法において、上記決済コンピュータが行う上記装置情報取得ステップ、上記記憶ステップ、上記認証信号生成ステップ、上記コンピュータ送信ステップ、上記コンピュータ受信ステップ、上記認証ステップ、上記認証結果報告ステップ、上記決済処理ステップ、上記認証信号管理ステップの全て又は一部を、上記第１の装置が行うことを特徴とする請求項２１から３５のいずれか一項に記載の決済処理方法。
【請求項３７】
認証要求を行う第１の装置及び認証依頼を行う第２の装置とネットワークを介して繋がり、認証又は決済の少なくともいずれか一方を行う決済コンピュータであって、
装置情報取得部により、上記第１の装置を表す第１装置表示情報を、上記第１装置確認情報として、上記第２の装置を表す第２装置表示情報を、上記第２装置確認情報として、上記ネットワークを介して取得し、
記憶部により、上記装置情報取得部により取得した上記第1装置確認情報及び上記第２装置確認情報を、記憶し
認証信号生成部により、上記認証要求又は上記認証依頼を行うための、所定の認証信号を、生成し、上記記憶部に、上記生成した上記認証信号を、記憶し、
コンピュータ送信部により、上記生成した上記認証信号を、上記ネットワークを介して、上記第２の装置へ送信し、
上記第２の装置が送信する上記第２の装置を表す上記第２装置表示情報を含む認証依頼情報を、コンピュータ受信部により、受信し、
上記第１の装置が送信する、上記第１の装置が上記第２の装置から近距離通信ネットワーク又は気体のいずれか一方を介して伝授した該決済コンピュータが送信した上記認証信号と上記第１の装置を表す上記第１装置表示情報とを伴にした認証要求情報を、上記ネットワークを介して、上記コンピュータ受信部により、受信し、
認証部により、上記第２の装置から上記受信した上記認証依頼情報中の上記第２装置表示情報、上記第１の装置から受信した上記認証要求情報中の上記認証信号及び上記第１装置表示情報、上記記憶部に記憶する上記第１装置確認情報中の上記第１装置表示情報、上記第２装置確認情報中の上記第２装置表示情報、及び上記認証信号と、を用いて、
（１）上記受信した上記第２装置表示情報と上記記憶ステップに記憶する上記第２装置表示情報とが、同一であるか否か、
（２）上記受信した第１装置表示情報と上記記憶ステップに記憶する上記第１装置表示情報とが、同一であるか否か、及び、
（３）上記受信した上記認証信号と上記記憶ステップに記憶する上記認証信号とが、同一であるか否か、
を照合し、上記（１）から（３）の上記照合が全て上記同一であると確認されれば、
上記第１の装置と上記第２の装置間の認証又は決済の少なくともいずれか一方を行なうことを特徴とする決済コンピュータ。
【請求項３８】
認証結果報告部が、上記認証部により行われる上記（１）から（３）における上記同一であるか否かの照合の結果である認証結果情報を、上記コンピュータ送信部により、上記第１の装置又は上記第２の装置の少なくともいずれか一方に、送信し、上記第１の装置又は上記第２の装置の少なくともいずれか一方が、上記認証結果情報を受信することを特徴とする請求項３７に記載の決済コンピュータ。
【請求項３９】
上記認証信号生成部により生成される上記認証信号が、音波、画像情報、数字又は数字と文字の組合せの少なくともいずれか一つであることを特徴とする請求項３７又は３８に記載の決済コンピュータ。
【請求項４０】
上記装置情報取得部が取得する上記第１装置確認情報には上記第１装置が設置されている場所情報又は上記第１の装置の位置情報の少なくともいずれか一方（以下「第１装置位置情報」という」をさらに含んでおり、上記記憶部が上記第１装置位置情報をさらに含む上記第１装置確認情報を記憶しており、
上記コンピュータ受信部が上記第２の装置から受信する上記認証依頼情報には上記第２の装置の位置情報がさらに含まれおり、
上記認証部が、上記受信した上記認証依頼情報中にさらに含まれる上記第２の装置の位置情報と、上記記憶部に記憶する上記第１装置位置情報と、を用いて、上記（１）から（３）の上記照合に加えて、
（４）上記第１装置位置情報と上記第２の装置の位置情報とが、所定の範囲内に在るか否か、の照合を、さらに行うことを特徴とする請求項３７から３９のいずれか一項に記載の決済コンピュータ。
【請求項４１】
上記認証依頼情報中の上記第２の装置の位置情報には、時刻情報が含まれており、
上記コンピュータ受信部が受信する上記認証要求情報には上記認証要求情報を生成する際の時刻情報を含んでおり、
上記認証部が、上記認証依頼情報中の上記時刻情報と、上記認証要求情報中の上記時刻情報と、を用いて、上記（１）から（３）又は上記（１）から（４）の上記照合に加えて、上記位置情報中の上記時刻情報と上記認証要求情報中の上記時刻情報とが、所定の時刻内か否か、の照合を、さらに行うことを特徴とする請求項４０に記載の決済コンピュータ。
【請求項４２】
上記装置情報取得部が、上記第１装置確認情報に上記第１の装置を操作する商取引等事業者の取引銀行情報をさらに含み取得し、又、上記第２装置確認情報に上記第２の装置を操作する利用者が上記商取引等を所望する際に決済可能な決済方法情報をさらに含み取得しており、
上記コンピュータ受信部が受信する上記認証要求情報には上記利用者が所望する上記商取引等の支払金額（料金）がさらに含まれており、
上記認証部により、上記（１）から（３）の上記照合が全て上記同一、又は、上記（１）から（３）の上記照合が全て上記同一に加えて上記（４）又は（５）の少なくともいずれか一方の上記照合が上記同一、の少なくともいずれか一方と確認されれば、
決済処理部により、上記記憶部に記憶している上記第１装置確認情報中の上記取引銀行情報と、上記第２装置確認情報中の上記決済方法情報と、を用いて、
上記利用者から、上記認証要求情報中の上記支払金額を、上記利用者の上記決済方法に基づき、上記事業者の上記取引銀行情報に支払い決済処理することを特徴とする請求項３７から４０のいずれか一項に記載の決済コンピュータ。
【請求項４３】
上記認証信号生成部は、ワンタイム認証信号を生成しており、上記生成したワンタイム認証信号を、上記コンピュータ送信部により、上記第２の装置へ送信しており、
上記コンピュータ受信部が、上記認証依頼情報と上記ワンタイム認証信号を含む上記認証要求情報を、受信しており、
上記認証部により、少なくとも上記（１）から（３）までと同様の照合行程を行い、上記認証結果報告部が、上記照合結果情報を、上記第１の装置又は上記第２の装置の少なくともいずれか一方に送信すれば、
認証信号管理部が、上記ワンタイム認証信号生成部により生成した上記ワンタイム認証信号につき、二回以上利活用付加に、又は、上記ワンタイム認証信号生成部によるその生成を所定時間内生成不可に、管理することを特徴とする請求項３７から４２のいずれか一項に記載の決済コンピュータ。
【請求項４４】
上記ワンタイム認証信号を生成する上記認証信号生成部が、ランダムな複数の数字列又は数字と文字の組合せのいずれか一方に基づき、ユニークな音波、画像情報、数字又は数字と文字の組合せを認証信号として連続生成するユニーク認証信号生成部を更に備えることを特徴する請求項４３に記載の決済コンピュータ。
【請求項４５】
上記第１の装置の記憶部が、上記伝授する上記認証信号又は上記ワンタイム認証信号を、第１装置記憶部に記憶しており、
上記第２の装置が上記伝送する上記認証信号又は上記ワンタイム認証信号を今伝授すれば、上記第１装置記憶部に記憶している、今伝授した上記認証信号又は上記ワンタイム認証信号より一つ前に伝授した上記認証信号又は上記ワンタイム認証信号と、今伝授した上記認証信号又は上記ワンタイム認証信号とが、同一か否かを、照合し、
上記照合が上記同一の場合、上記今伝授した上記認証信号又は上記ワンタイム認証信号を認証しないように管理する伝授管理部を更に備えていることを特徴とする請求項３７又は４４に記載の決済コンピュータ。
【請求項４６】
上記認証信号又は上記ワンタイム認証信号が、上記第１の装置の上記認証信号伝授部の、上記認証信号を伝授するための伝授機能を起動させる伝授起動信号を含み、上記認証信号伝授部が、上記伝授起動信号を検知する検知部と、上記検知部で上記伝授起動信号を検知した場合、上記伝授部を起動する起動部を更に備えることを特徴とする請求項３７から４５のいずれか一項に記載の決済コンピュータ。
【請求項４７】
上記事業者が、上記第１の装置を複数の地点に設置することがあり、
A地点に設置する第１の装置と、B地点に設置する第１の装置とを事業者ネットワークを介して繋いでおり、
上記装置情報取得部が、A地点の第１の装置、B地点の第１の装置それぞれの上記第１装置確認情報を取得し、取得した上記それぞれの第１装置確認情報を上記記憶部に記憶し、上記認証信号生成部が生成する上記認証信号を上記記憶部に記憶し、上記生成した上記認証信号を上記第２の装置へ送信しており、
上記第２の装置が上記A地点及び上記B地点で送信する、上記第２の装置の上記第２装置表示情報を含む認証依頼情報を、上記コンピュータ受信部により、受信し、
上記A地点の上記第１の装置が送信する、上記A地点で上記第２の装置から上記伝授した上記認証信号（又は上記ワンタイム認証信号）と上記A地点の第１の装置を表す上記第１装置表示情報とを伴にした認証要求情報と、
上記B地点の上記第１の装置が送信する、上記B地点で上記第２の装置から上記伝授した上記認証信号（又は上記ワンタイム認証信号）と上記B地点の第１の装置を表す上記第２装置表示情報とを伴にした認証要求情報を、上記ネットワークを介して、上記コンピュータ受信部により、受信し、
上記事業者が、上記第２の装置から上記A地点と上記B地点で上記認証信号を伝授することに係る上記利用者の利用料金（価額）を含む商取引等要件を、予め設定しており、
上記コンピュータ記憶部に、上記商取引等要件を、予め記憶しており、
上記認証部が、上記A地点及び上記B地点において少なくとも上記（１）から（３）の上記照合が全て上記同一であると確認されれば、
上記決済処理部により、上記利用者の上記決済方法情報、上記事業者の上記取引銀行情報、上記記憶部に記憶する上記商取引等要件に基づき、上記決済処理を行うことを特徴とする請求項３７から４６のいずれか一項に記載の決済コンピュータ。
【請求項４８】
上記第２の装置を操作して上記商取引等を所望する上記利用者が、上記A地点に設置する第１の装置を入口（乗り口）として、上記B地点に設置する第１の装置を出口（降り口）として、上記認証信号（又は上記ワンタイム認証信号）を上記第１の装置へ上記伝送することを特徴とする請求項４７に記載の決済コンピュータ。
【請求項４９】
上記事業者が上記利用料金を含む上記商取引等要件を、上記A地点に設置する第１の装置の入口（乗り口）から上記B地点に設置する第１の装置の出口（降り口）までの上記利用者の、移動距離、体験内容又は体験時間の少なくともいずれか一方に基づき上記設定していることを特徴とする請求項３７又は４８に記載の決済コンピュータ。
【請求項５０】
上記決済コンピュータが行う上記装置情報取得部、上記記憶部、上記認証信号生成部、上記コンピュータ送信部、上記コンピュータ受信部、上記認証部、上記認証結果報告部、上記決済処理部、上記認証信号管理部の全て又は一部を、上記第１の装置が行うことを特徴とする請求項３７から４９のいずれか一項に記載の決済コンピュータ。
【請求項５１】
決済コンピュータと、該決済コンピュータとネットワークを介して繋がり、認証要求を行う第１の装置と、上記決済コンピュータとネットワークを介して繋がり、認証依頼を行う第２の装置によって構成される認証又は決済の少なくともいずれか一方を行う決済処理システムあって、
上記決済コンピュータにおいて、
装置情報取得部により、上記第１の装置を表す第１装置表示情報を、上記第１装置確認情報として、上記第２の装置を表す第２装置表示情報を、上記第２装置確認情報として、上記ネットワークを介して取得し、
記憶部により、上記装置情報取得部により取得した上記第1装置確認情報及び上記第２装置確認情報を、記憶し
認証信号生成部により、上記認証要求又は上記認証依頼を行うための、所定の認証信号を、生成し、
上記記憶部に、上記生成した上記認証信号を、記憶し、
コンピュータ送信部により、上記生成した上記認証信号を、上記ネットワークを介して、上記第２の装置へ送信し、
上記第２の装置において、予め該第２の装置を表す上記第２装置表示情報を第２装置記憶部に記憶しており、
第２装置受信部により、上記コンピュータ送信部により送信された上記認証信号を、上記ネットワークを介して、受信し、
第２装置記憶部により、上記受信した上記認証信号を、記憶し、
認証依頼情報生成部により、少なくとも上記第２装置記憶部に記憶する上記第２装置表示情報を含む認証依頼情報を、生成し、
第２装置送信部により、上記生成した上記認証依頼情報を、上記ネットワークを介して、上記コンピュータへ送信し、且つ、
認証信号伝送部により、上記記憶部に記憶する上記認証信号を、上記第１の装置へ、近距離通信ネットワーク又は気体のいずれか一方を介して、伝送し、
上記第１の装置において、予め該第１の装置を表す上記第１装置表示情報を第１装置記憶部に記憶しており、
認証信号伝授部により、上記第２の装置から伝送された上記認証信号を、上記近距離通信ネットワーク又は上記気体のいずれか一方を介して、伝授し、
認証要求情報生成部により、上記伝授した上記認証信号と上記第１記憶部に記憶する上記第１装置表示情報と、を伴にして、認証要求情報として、生成し、
上記生成した認証要求情報を、第１装置送信部により、上記ネットワークを介して、上記決済コンピュータへ、送信し、
上記決済コンピュータにおいて、コンピュータ受信部により、上記第２の装置から送信された上記認証依頼情報と、上記第１の装置から送信された上記認証要求情報を、上記ネットワークを介して、受信し、
認証部により、上記第２の装置から上記受信した上記認証依頼情報中の上記第２装置表示情報、上記第１の装置から受信した上記認証要求情報中の上記認証信号及び上記第１装置表示情報、上記記憶部に記憶する上記第１装置確認情報中の上記第１装置表示情報、上記第２装置確認情報中の上記第２装置表示情報、及び上記認証信号と、を用いて、
（１）上記受信した上記第２装置表示情報と上記記憶部に記憶する上記第２装置表示情報とが、同一であるか否か、
（２）上記受信した第１装置表示情報と上記記憶部に記憶する上記第１装置表示情報とが、同一であるか否か、及び、
（３）上記受信した上記認証信号と上記記憶部に記憶する上記認証信号とが、同一であるか否か、
を照合し、上記（１）から（３）の上記照合が全て上記同一であると確認されれば、
上記第１の装置と上記第２の装置間の認証又は決済の少なくともいずれか一方が行われることを特徴とする決済処理システム。
【請求項５２】
上記決済コンピュータにおいて、認証結果報告部が、上記認証部により行われる上記（１）から（３）における上記同一であるか否かの照合の結果である認証結果情報を、上記コンピュータ送信部により、上記第１の装置又は上記第２の装置の少なくともいずれか一方に、送信し、上記第１の装置の上記第１受信部又は上記第２の装置の上記第２装置受信部の少なくともいずれか一方が、上記認証結果情報を受信することを特徴とする請求項５１に記載の決済処理システム。
【請求項５３】
上記認証信号生成部により生成される上記認証信号が、音波、画像情報、数字又は数字と文字の組合せの少なくともいずれか一つであることを特徴とする請求項５１又は５２に記載の決済処理システム。
【請求項５４】
上記装置情報取得部が、上記第１装置確認情報に上記第１の装置を操作する商取引等事業者の取引銀行情報をさらに含み取得し、又、上記第２装置確認情報に上記第２の装置を操作する利用者が上記商取引等を所望する際に決済可能な決済方法情報をさらに含み取得しており、
上記認証要求情報生成部が、上記利用者が所望する上記商取引等の支払金額（料金）をさらに含み、上記認証要求情報を生成しており、
上記生成した上記認証要求情報を、上記第１装置送信部により、上記決済コンピュータに送信しており、
上記送信された上記認証要求情報と上記認証依頼情報と、を上記コンピュータ受信部により、受信する上記決済コンピュータにおいて、
上記認証部により、上記（１）から（３）の上記照合が全て上記同一、又は、上記（１）から（３）の上記照合が全て上記同一に加えて上記（４）又は（５）の少なくともいずれか一方の上記照合が上記同一、の少なくともいずれか一方と確認されれば、
決済処理部により、上記記憶部に記憶している上記第１装置確認情報中の上記取引銀行情報と、上記第２装置確認情報中の上記決済方法情報と、を用いて、
上記利用者から、上記認証要求情報中の上記支払金額を、上記利用者の上記決済方法情報に基づき、上記事業者の上記取引銀行情報に支払い決済処理することを特徴とする請求項５１から５３のいずれか一項に記載の決済処理システム。
【請求項５５】
上記認証信号生成部は、ワンタイム認証信号を生成しており、上記生成したワンタイム認証信号を、上記コンピュータ送信部により、上記第２の装置へ送信しており、
上記第２の装置が、上記第２装置受信部により、上記ワンタイム認証信号を受信し、上記第２装置記憶部に記憶しており、
上記認証依頼情報生成部が、上記認証依頼情報を生成し、上記第２装置送信部により、上記認証依頼情報を、上記コンピュータへ送信し、
上記認証信号伝送部が、上記ワンタイム認証信号を、上記近距離通信ネットワーク又は上記気体のいずれか一方を介して、上記第１の装置へ向けて、伝送しており、
上記第１の装置において、上記伝送された上記ワンタイム認証信号を、上記認証信号伝授部により、上記伝授し、
上記認証要求情報生成部により、上記伝授した上記ワンタイム認証信号と、上記第１装置記憶部に記憶している上記第１装置表示情報とを伴にして、認証要求情報として生成し、上記生成した認証要求情報を、上記第１装置送信部により、上記決済コンピュータへ送信しており、
上記決済コンピュータにおいて、
上記コンピュータ受信部により、上記認証依頼情報と上記認証要求情報を、受信し、
上記認証部により、少なくとも上記（１）から（３）までと同様の照合行程を行い、上記認証結果報告部が、上記照合結果情報を、上記第１の装置又は上記第２の装置の少なくともいずれか一方に送信すれば、
認証信号管理部が、上記ワンタイム認証信号生成部により生成した上記ワンタイム認証信号につき、二回以上利活用付加に、又は、上記ワンタイム認証信号生成部によるその生成を所定時間内生成不可に、管理することを特徴とする請求項５１から５４のいずれか一項に記載の決済処理システム。
【請求項５６】
上記ワンタイム認証信号を生成する上記認証信号生成部が、ランダムな複数の数字列又は数字と文字の組合せのいずれか一方に基づき、ユニークな音波、画像情報、数字又は数字と文字の組合せを認証信号として連続生成するユニーク認証信号生成部を更に備えることを特徴する請求項５５に記載の決済処理システム。
【請求項５７】
上記第１の装置において、
上記第１装置記憶部が、上記認証信号伝授部により伝授する上記認証信号又は上記ワンタイム認証信号を、記憶しており、
上記第２の装置が上記伝送する上記認証信号又は上記ワンタイム認証信号を上記認証信号伝授部により伝授すれば、上記記憶部に記憶している、今伝授した上記認証信号又は上記ワンタイム認証信号より一つ前に伝授した上記認証信号又は上記ワンタイム認証信号と、今伝授した上記認証信号又は上記ワンタイム認証信号とが、同一か否かを、照合し、
上記照合が上記同一の場合、上記今伝授した上記認証信号又は上記ワンタイム認証信号を認証しないように管理する伝授管理部を更に備えていることを特徴とする請求項５１又は５６に記載の決済処理システム。
【請求項５８】
上記事業者が、上記第１の装置を複数の地点に設置することがあり、
A地点に設置する第１の装置と、B地点に設置する第１の装置とを事業者ネットワークを介して繋いでおり、
上記装置情報取得部が、A地点の第１の装置、B地点の第１の装置それぞれの上記第１装置確認情報を取得しており、
上記第２の装置が、上記A地点で、上記認証信号伝送部により、上記認証信号（又は上記ワンタイム認証信号）を、上記A地点の上記第１の装置へ向けて伝送し、
上記A地点の上記第１の装置が、上記伝送された上記認証信号を伝授し、上記伝授した上記認証信号と上記A地点の第１の装置の上記第１装置表示情報と、を伴にして上記認証要求情報として、上記決済コンピュータへ送信し、
上記第２の装置が、上記B地点で、上記認証信号伝送部により、上記認証信号を、上記B地点の上記第１の装置へ向けて伝送し、
上記B地点の上記第１の装置が、上記伝送された上記認証信号を伝授し、上記伝授した上記認証信号と上記B地点の第１の装置の上記第１装置表示情報と、を伴にして上記認証要求情報として、上記決済コンピュータへ送信し、
上記事業者が、上記第２の装置から上記A地点と上記B地点で上記認証信号を伝授することに係る上記利用者の利用料金（価額）を含む商取引等要件を、予め設定しており、
上記決済コンピュータにおいて、上記商取引等要件を、上記コンピュータ記憶部に、予め記憶しており、
上記決済処理部により、上記利用者の上記決済方法情報、上記事業者の上記取引銀行情報、上記記憶部に記憶する上記商取引等要件に基づき、上記決済処理を行うことを特徴とする請求項５１から５７のいずれか一項に記載の決済処理システム。
【請求項５９】
上記第２の装置を操作して上記商取引等を所望する上記利用者が、上記A地点に設置する第１の装置を入口（乗り口）として、上記B地点に設置する第１の装置を出口（降り口）として、上記認証信号伝送部により上記認証信号（又は上記ワンタイム認証信号）を伝送することを特徴とする請求項５８に記載の決済処理システム。
【請求項６０】
上記事業者が上記利用料金を含む上記商取引等要件を、上記A地点に設置する第１の装置の入口（乗り口）から上記B地点に設置する第１の装置の出口（降り口）までの上記利用者の、移動距離、体験内容又は体験時間の少なくともいずれか一方に基づき上記設定していることを特徴とする請求項５１又は５９のいずれか一項に記載の決済処理システム。
【請求項６１】
上記決済処理システムにおいて、上記決済コンピュータが行う上記装置情報取得部、上記記憶部、上記認証信号生成部、上記コンピュータ送信部、上記コンピュータ受信部、上記認証部、上記認証結果報告部、上記決済処理部、上記認証信号管理部の全て又は一部を、上記第１の装置が行うことを特徴とする請求項５１から６０のいずれか一項に記載の決済処理システム。
【発明の詳細な説明】
【技術分野】
【０００１】
スマートフォンなどの移動情報端末を用いた、キャッシュレスのモバイル決済手段、モバイル決済システムが広がりつつある。
モバイル決済の方法では、２次元バーコードを活用した、利用者認識（利用者情報等を含む）や店舗認識の方法がある。
また、その他のキャッシュレス決済、デジタル決済でも、利用者及び利用者情報の識別・認証や、支払を受ける側の特定が重要なポイントとなっている。
【発明の概要】
【発明が解決しようとする課題】
【０００２】
これまで、実店舗で行われるキャッシュレス決済、デジタル決済では、利用者及び利用者情報の識別・認証情報を、クレジットカードが有する記憶部、ICカードが有するICチップ記憶部、２次元バーコード内等に、記憶させたり記述したりして、それを読込むためのキャプチャー装置によって、利用者の識別や決済処理方法の確定を行っていた。
そのため、店舗側で利用者情報をキャプチャー装置とキャプチャーした情報をネットワークを介して送信する装置等の初期費用や、あるいは決済手数料等の支払いが必要となり、中小企業等での導入は難しかった。
また、決済システムを導入する側も、導入のために各店舗へ出向いて、システムの設置や設定を行わなければならず、導入に多大な手間と時間がかかっていた。
また、キャプチャー装置で情報を読み取るのが上手くいかない場合や、一人の読み取り認証に時間が掛かったりした。
【０００３】
よって本発明は、上述した課題を有効に回避し得る新規な決済処理法、決済処理システム、決済処理コンピュータを提供せんとするものである。
【課題を解決するための手段】
【０００４】
本願第１番目の発明による決済処理方法は、決済コンピュータと、該決済コンピュータと例えばインターネットのネットワークを介して繋がり売買等取引を提供する場所にある例えばタブレット等移動情報端末である第１の装置と、該決済コンピュータとネットワークを介して繋がり売買等取引を所望する例えばスマートフォン等移動情報端末である第２の装置によって構成される決済方法であって、
例えば、決済サーバである上記決済コンピュータにおいて、
通信機能（通信インターフェース）で構成される装置情報取得ステップにより、上記第１の装置を例えばUnique Device Identifier、MACアドレス、identifierForVendor、AdvertisingIdentifier、Mobile Equipment Identifier、Electronic Serial Numberなど形式で識別可能として表す第１装置表示情報と、少なくとも、上記第１の装置を操作する事業者の取引銀行情報、上記売買等取引を提供する上記場所情報又は上記第１の装置の位置情報である第１装置位置情報の少なくともいずれか一方（以下、事業者位置情報という）を含む上記事業者の情報である事業者情報を、上記ネットワークを介して取得し、
上記装置情報取得ステップにより取得した上記第１装置表示情報と上記事業者情報とを、例えば表データ（テーブルデータ）等を用いたデータべース化又はhtml記述を用いてハイパーリンク構造等により、対応付けて第１装置確認情報として、例えば磁気ディスク、光ディスク、フラッシュメモリ、光磁気ディスク等媒体で構成される記憶ステップにより、例えばデータベース形式で、記憶し、
上記装置情報取得ステップにより、上記第２の装置を例えばUnique Device Identifier、MACアドレス、identifierForVendorなど形式で識別可能として表す第２装置表示情報と、少なくとも上記第２の装置の利用者の、例えば銀行口座からの引き落とし、デビットカード又はクレジットカード等による支払い手段や何回払いにするか等の支払い方法や後払いなどの決済方法情報を含む利用者情報とを、上記ネットワークを介して取得し、
上記装置情報取得ステップにより取得した上記第２装置表示情報と上記利用者情報とを対応付けて第２装置確認情報として、上記記憶ステップに、記憶し、
上記第２の装置が、該第２の装置の利用者が上記事業者に対して、例えば商品又は役務の購入等取引である上記売買等取引を所望しその売買等取引の決済仲介業務を上記決済コンピュータに対して依頼するために、上記第２装置表示情報と、該第２の装置の例えばGPS活用による位置情報を取得し表示することによる第２装置位置情報と、を伴にして、決済依頼情報として、決済依頼情報生成ステップにより、生成し、
上記生成した上記決済依頼情報を、例えば通信ステップを具備する第２装置送信ステップにより、上記ネットワークを介して、上記決済コンピュータに、送信し、
上記第１の装置が、上記第２の装置の利用者が所望する上記売買等取引に係る、例えば商品代金又はサービス代金等である売買等取引金額を含む決済情報と、上記第１装置表示情報と、を伴にして、決済要求情報として、決済要求情報生成ステップにより、生成し、
上記生成した上記決済要求情報を、第１装置送信ステップにより、上記ネットワークを介して、上記決済コンピュータに、送信し、
上記決済コンピュータにおいて、上記第２装置送信ステップにより送信された上記決済依頼情報と、上記第１装置送信ステップにより送信された上記決済要求情報とを、例えば通信ステップを具備したコンピュータ受信ステップにより受信し、
当事者確認ステップが、上記受信した上記決済依頼情報中の上記第２装置表示情報と、上記記憶ステップに記憶する上記第２装置確認情報中の上記第２装置表示情報と上記利用者情報とを用いて、上記受信した上記決済依頼情報の送信者を、上記第２の装置の利用者であることを、照合し確認し、且つ、
上記受信した上記決済要求情報中の上記第１装置表示情報と、上記記憶ステップに記憶する上記第１装置確認情報中の上記第１装置表示情報とを用いて、上記決済要求情報を送信した送信者を、上記第１の装置の事業者であることを、照合し確認し、
支払者確認ステップが、
上記決済依頼情報中の上記第２装置位置情報と、上記記憶ステップに記憶する上記事業者位置情報と、を用いて、上記決済要求情報中の上記売買等取引金額を決済（支払い）する支払者を、上記決済依頼情報を送信した上記第２の装置の利用者として、照合し、確認すれば、
例えば決済コンピュータが具備する中央処理ステップや例えば外部決済処理ゲートウエイ等で構成される決済処理ステップが、
上記決済依頼情報中の上記利用者情報中の上記利用者決済方法情報と、上記決済要求情報中の上記事業者情報中の上記事業者の上記取引銀行情報及び上記売買等取引金額と、を用いて、
例えば上記第２の装置の利用者決済方法として予め設定されているプリペード式の決済方法又は銀行引き落としによる決済方法とする上記利用者決済方法情報に基づき、上記決済情報中の売買等取引金額分を、上記事業者の上記取引銀行情報宛に、決済処理（振込支払処理）を行う。
【０００５】
上記決済コンピュータは、通信機能を有し、上記第１の装置又は上記第２の装置とネットワークを介して接続し、情報の授受、情報の記憶、記憶した情報などの読出し、照合、演算等を、例えば制御部（CPU）で制御し、実行するコンピュータ装置でよい。上記決済コンピュータは、認証サーバ、決済サーバ、webサーバ、AIコンピュータ、決済ゲートウエイ等で構成されてもよい。
【０００６】
上記第１の装置は、例えば、商品又は役務を提供する事業が操作するスマートフォン、タブレット、ノートパソコン等の移動情報端末又はコンピュータや、コネクテッドカーなどの移動体であってもよい。
上記第２の装置は、例えば、商品又は役務を所望し購入するユーザが操作するスマートフォン、タブレット、ノートパソコン等の移動情報端末又はコンピュータや、コネクテッドカーなど移動体であってもよい。
上記第１の装置及び上記第２の装置は、通信機能（通信インターフェース）を具備し、例えばインターネットや専用回線等のネットワークを介して、上記決済コンピュータと情報の送受信（授受）を行う。上記２つの装置は、記憶ステップ、操作ステップ、表示ステップ等を具備していても良い。
尚、表示ステップは、例えば、ディスプレイ又はタッチパネル式ディスプレイやスピーカー、マイクロフォン（ボイス入力部）、カメラなどで構成され、各種表示部情報や読み出し部が読み出した各種情報、上記装置受信部が受信する各種情報、web情報、各種画像・映像・音声情報や、ユーザが操作部や入力部を用いて操作する情報又は入力した文字や音声を表示する。また、利用ガイダンスなどの画像や音声を表示してもよい。上記表示ステップが、例えば操作ステップや各種情報を入力する入力ステップ（テキスト又はボイス入力部）を有していてもよい。
また、上記記憶ステップを構成する記憶媒体は、例えば、磁気ディスク形式、光ディスク形式、フラッシュメモリ形式、光磁気ディスク形式などであるが、ここで挙げた例に限らずどのような形式の記憶部でも良い。また記憶形式はデジタルデータ又はアナログデータのどちらでも良い。
【０００７】
上記決済コンピュータ、上記第１の装置及び上記第２の装置は、通信機能（通信インターフェース）を具備していて、上記決済コンピュータは、上記第１の装置及び上記第２の装置を該通信機能により、例えばインターネット網等のネットワークを介して、接続する。
通信インターフェースを具備して構成される上記装置情報取得ステップ、上記第２装置送信ステップ、上記第１装置送信ステップ、上記コンピュータ受信ステップは、例えばインターネット網等ネットワークを介して、情報の送受信（授受）を行う。尚通信機能は、無線でも有線でもよい。
【０００８】
上記装置情報取得ステップが取得する上記第１装置表示情報及び上記事業者情報及び上記第２装置表示情報及び上記利用者情報は、例えば上記第１の装置が上記ネットワークを介して送信する上記第１装置表示情報及び上記事業者情報、上記第２の装置が上記ネットワークを介して送信する上記第２装置表示情報及び上記利用者情報を、上記コンピュータ受信部により、受信し、上記取得することでよい。
【０００９】
「上記装置情報取得ステップにより取得した上記第１装置表示情報と上記事業者情報とを対応付けて」の対応付けなど、本願中の「対応付けて」とは、例えば表データ（テーブルデータ）等を用いたデータべース化により、上記事業者情報に対して上記第１装置表示情報を、例えば一セル内に、一属性として割り当てて対応付けたり、また、例えばhtml記述を用いてハイパーリンク構造として上記第１装置表示情報と上記事業者情報とを相互に対応づけたりしてもよい。
但し、上記対応付けの方法は、ここで挙げた例に限らず、上記第１装置表示情報と上記事業者情報とが、対応付け、関連づけ、紐づけ又はリンクづけ、などが可能となる方法であればどのような方法であってもよい。
【００１０】
上記事業者情報は、例えば事業名称、事業経営者名称、サービス名称、住所、電話番号、ウエブサイト情報、イーメールアドレス、ファックス番号、事業者識別番号、事業者識別情報などの情報が含まれていてもよい。但し、事業者情報は、ここで挙げた例に限らず、事業者に関連する情報であればどのような情報でもよい。
また上記利用者情報は、例えば氏名、住所、メールアドレス、電話番号、性別、生年月日等と、上記利用者が商品・役務等の購入決済を実行する際に必要となる利用者識別情報（identification information）、利用者認証情報（Authentication information）及び決済方法など、上記利用者が上記決済処理コンピュータに決済依頼をし、上記決済処理コンピュータが決済処理の実行を可能せしめる情報を含んでよい。
但し、利用者情報は、ここで挙げた例に限らず、利用者関連情報及び利用者決済を可能せしめる又は利用者決済を許諾する情報であればどのような情報でもよい。
【００１１】
上記第１装置位置情報、上記第２装置位置情報の位置情報とは、上記第１の装置又は上記第２の装置の現在位置情報であり、例えばGPS（Global Positioning System）、通信キャリア等の基地局、Wi-Fiアクセスポイント、IPアドレスなどに基づき、取得し表示する情報でよい。上記位置情報は、例えば緯度、経度情報などによって表されてよい。その他、現在時刻情報、高度（標高）情報、都市名、都道府県名等（リージョン）名、国名などの情報が含まれていてもよい。さらに、上記行動者位置情報として又はそれに付随する情報として、例えばユーザID、ユーザ端末又はユーザ車両ID、ユーザ利用電子メールアドレス、電話番号等が含まれていてもよい。
上記装置情報取得ステップが、例えば、上記第１の装置又は上記第２の装置とインターネットを介して接続中に、上記第１の装置又は上記第２の装置が表示する上記第１装置位置情報又は上記第２装置位置情報を、取得することでよい。
【００１２】
上記第１の装置を表す第１装置表示情報、上記第２の装置を表す第２装置表示情報は、例えば、各情報端末機器を識別するためのUnique Device Identifier、MACアドレス、identifierForVendor、AdvertisingIdentifier、Mobile Equipment Identifier、Electronic Serial Number、IPアドレスや、各情報端末機器を操作する人のメールアドレスやSNS情報などでもよい。ただし、第１装置表示情報、第２装置表示情報の識別の方法は、ここに挙げた例に限らず、上記決済処理コンピュータが、上記ネットワークを介した通信により、上記第１の装置またはその操作人、上記第２の装置またはその操作人を、識別できる情報等であればどのような情報等でもよい。
【００１３】
上記第２の装置の利用者の決済方法情報とは、例えば、上記利用者の銀行口座からの引き落とし、デビットカード又はクレジットカード等による支払い手段や何回払いにするか、後払い等の支払い方法や、その他の電子マネー支払、所謂プリペード式の電子決済方法、ローン支払い、仮想通貨、デジタル通貨を利用した支払方法など、上記利用者が上記商品又は役務を所望し購入するための決済情報であればどのような情報であってもよい。また、上記第２の装置の利用者の決済方法情報は、ここに例を挙げた以外であっても、上記利用者が上記商品又は役務を所望し購入するための、決済手段・決済方法・支払い方法等の情報であればどのような情報でもよい。
【００１４】
当事者確認ステップが、上記受信した上記決済依頼情報中の上記第２装置表示情報と、上記記憶ステップに記憶する上記第２装置確認情報中の上記第２装置表示情報と上記利用者情報とを用いて、上記受信した上記決済依頼情報の送信者を、上記第２の装置の利用者であることを、照合し確認する。
上記当事者確認ステップが、上記決済依頼情報を受信すれば、例えば、上記決済依頼情報中の上記第２装置表示情報を確認し選択し、上記記憶ステップ中から、上記記憶ステップに例えばデータベース形式で記憶する上記第２装置確認情報中の上記第２装置表示情報から、テキスト検索または例えばExcelのMATCH関数等を活用し、上記決済依頼情報中の上記第２装置表示情報と同一の上記第２装置表示情報が上記記憶ステップ中にあるか否かを例えば中央処理ステップを用いて検証・判定し、「ある」と判定した場合、上記決済依頼情報を送信した利用者が、記憶ステップ中にある上記第２の装置の利用者であると確認することでよい。
上記当事者確認ステップが、上記第２装置表示情報の照合、確認法と同様に、上記受信した上記決済要求情報中の上記第１装置表示情報と、上記記憶ステップに記憶する上記第１装置確認情報中の上記第１装置表示情報とを用いて、上記決済要求情報を送信した送信者を、上記第１の装置の事業者であることを、照合し確認する。
【００１５】
支払者確認ステップが、上記決済依頼情報中の上記第２装置位置情報と、上記記憶ステップに記憶する上記事業者位置情報と、を用いて、上記決済要求情報中の上記売買等取引金額を決済する支払者を、上記第２の装置の利用者として、照合し、確認する。
上記決済依頼情報中の上記第２装置位置情報は、通常、緯度、経度で表される。
上記事業者位置情報は、上記売買等取引を提供する上記場所情報（住所情報）又は上記第１の装置の位置情報である。上記事業者位置情報が上記第１の装置の位置情報である場合は、上記第２装置位置情報と同じ形式の緯度、経度で表示可能なため、同一単位として照合し確認できる。
【００１６】
ここで、上記支払者確認ステップが、上記第２装置位置情報と上記事業者位置情報と、を照合し確認する方法は、例えば、上記第２装置位置情報と上記事業者位置情報とが所定のエリア範囲内にあるか否かの照合を、例えばExcelのMATCH関数等を活用して照合することでよい。所定のエリア範囲内とは、上記第２装置位置情報と上記事業者位置情報の完全一致を含み、又は、例えば上記事業者位置情報（又は上記第２装置位置情報でもよい）を中心点とした所定の半径で設定されるエリア範囲を照合条件として、任意に設定してよい。好ましくは、所定のエリア範囲を上記中心点から半径３メートルから３０メートル以内とすることが望ましい。尚、上記所定のエリア範囲の設定は、例えば上記事業者位置情報を上記中心点とした場合、該中心点と上記第２装置位置情報との距離範囲の設定と同等と捉えてもよい。
また、上記第２装置位置情報と、上記事業者位置情報との上記照合において、上記事業者位置情報が上記場所情報でそれが住所情報の場合、所謂ジオコーディングと呼ばれる既存アプリケーション等によって、住所情報から緯度、経度へ変換することが可能である。
上記支払者確認ステップが、上記のような行程により、上記決済依頼情報を送信した上記利用者が今居る場所と、上記決済要求情報を送信した事業者位置情報が、上記所定のエリア範囲内であることにより、上記決済要求情報中の上記売買等取引金額を決済する支払者を、上記第２の装置の利用者として、照合し、確認する。
【００１７】
決済処理ステップが、上記決済依頼情報中の上記利用者情報中の上記利用者決済方法情報と、上記決済要求情報中の上記事業者情報中の上記事業者の上記取引銀行情報及び上記売買等取引金額と、を用いて、上記利用者決済方法情報に基づき、上記決済情報中の売買等取引金額分を、上記事業者の上記取引銀行情報宛に、決済処理（振込支払処理）を行う。
例えば、上記利用者情報中の上記利用者決済方法情報が、取引銀行からの引き落としと設定されていれば、上記決済処理ステップが、上記利用者が設定した取引銀行から、上記売買等取引金額分を、上記事業者の上記取引銀行情報宛に、振込処理を実行することでよい。
【００１８】
上記決済コンピュータにおいて、上記各ステップを簡便且つ滞りなく実行するため、予め上記第１の装置用アプリケーション及び上記第２の装置用アプリケーションを作成しており、上記コンピュータは、例えば、上記装置情報取得ステップ開始前に、又は上記装置情報取得ステップに含み、上記第１の装置用アプリケーションを上記第１の装置へ、上記第２の装置用アプリケーションを上記第２の装置へ、コンピュータ送信ステップにより、上記ネットワークを介して送信し、上記第１の装置が、第１装置受信ステップにより受信し、受信した上記第１の装置用アプリケーションを、第１装置記憶ステップに、インストールしセットアップし、上記第２の装置が、第２装置受信ステップにより受信し、受信した上記第２の装置用アプリケーションを、第２装置記憶ステップに、インストールしセットアップし、上記各ステップを簡便に且つ滞りなく実行することでもよい。
【００１９】
本願第２番目の発明による決済処理方法は、本願第１番目の発明において、好ましくは、
上記第２の装置が送信する上記決済依頼情報中の上記第２装置位置情報には、少なくとも時刻情報が含まれており、
上記第１の装置が送信する上記決済要求情報中の決済情報には、少なくとも上記第２の装置の利用者が所望する上記売買等取引に係る売買等取引時刻情報が含まれており、
上記支払者確認ステップが、
上記決済依頼情報中の、時刻情報を含む上記第２装置位置情報及び、上記決済要求情報中の売買等取引時刻情報と上記記憶ステップに記憶する上記事業者位置情報と、を用いて、上記決済要求情報中の上記売買等取引金額を決済する支払者を、上記第２装置位置情報と上記事業者位置情報と、を照合し確認し、且つ、上記時刻情報と上記売買等取引時刻情報と、を照合し、上記決済依頼情報を送信した上記第２の装置の利用者として、確定する。
【００２０】
移動情報端末機器やコネクテッドカーから取得する位置情報には、通常、位置情報を取得する際の時刻情報が、例えば、年、月、時間、分、秒の単位で、付されている。
上記決済要求情報中の決済情報に含まれる上記売買等取引時刻情報は、例えば上記決済要求情報生成ステップにより、上記決済要求情報が生成する際に、例えば上記決済要求情報生成ステップが具備する時刻生成ステップ（時計ステップ）により、上記決済要求情報生成時刻を上記売買等取引時刻情報として、生成することでもよい。但し、上記売買等取引時刻情報の生成は、上記決済要求情報の生成を開始した時から上記決済要求情報の生成が完了する時までの間で上記売買等取引時刻情報が生成され、上記決済情報に付されても良い。
【００２１】
上記支払者確認ステップが、上記時刻情報と上記売買等取引時刻情報と、を照合する方法は、例えば、上記時刻情報と上記売買等取引時刻情報とが所定の時刻範囲内にあるか否かの照合を、例えばExcelのMATCH関数等を活用して照合することでよい。所定の時刻範囲内とは、上記時刻情報と上記売買等取引時刻情報の完全一致を含み、又は、所定の時刻範囲を照合条件として、任意に設定してよい。好ましくは、所定の時刻範囲を数分から数十分以内とすることが良い。
【００２２】
本願第二の発明の支払者確認ステップによれば、本願第一の発明の支払者確認ステップと比較し、上記売買等取引金額の支払者を、位置情報と時刻情報とにより、照合し確定することで、上記支払者の特定ミスという重大なリスクを縮減する効果を得られる。
尚、本願第二の発明の支払者確定ステップ以後の決済処理ステップは、本願第一の発明と同様に実行されてよい。
尚、上記売買等取引時刻情報とは、例えば利用者が商品又は役務の購入を求めて行う購入等取引となる売買等取引の時刻であってよい。
【００２３】
本願第３番目の発明による決済処理方法は、本願第１番目又は２番目の発明において、好ましくは、上記第２の装置が決済依頼情報生成ステップにより生成する上記決済依頼情報に、上記売買等取引の取引金額である取引金額情報を更に含み、
上記決済処理ステップが、
上記利用者決済方法情報と、上記決済要求情報中の上記事業者情報中の上記事業者の上記取引銀行情報と、を用いて、
上記利用者決済方法情報に基づき、上記決済情報中の売買等取引金額又は上記決済依頼情報中の上記取引金額情報の少なくともいずれか一方に基づいた金額を、上記事業者の上記取引銀行情報宛に、決済処理を行う。
【００２４】
本願第３番目の発明によれば、上記第２の装置の利用者が、上記売買等取引の取引金額である取引金額情報を、例え第２の装置が備える操作ステップにより、上記決済依頼情報に含んで、上記決済コンピュータに送信する。
上記決済処理ステップが、上記利用者決済方法情報に基づき、上記決済情報中の売買等取引金額又は上記決済依頼情報中の上記取引金額情報の少なくともいずれか一方に基づいた金額を、上記事業者の上記取引銀行情報宛に、決済処理を行う。
【００２５】
ここで、本願第１の発明においては、第１の装置が送信する上記決済要求情報中に上記売買等取引金額を含んで、上記決済コンピュータに送信しているが、本願第３の発明によれば、上記第２の装置の利用者が、上記売買等取引の取引金額である取引金額情報を、上記決済依頼情報に含んで、上記決済コンピュータに送信しているので、上記第１の装置が送信する上記決済要求情報中の決済情報中に、上記売買等取引金額を含まない場合でも、上記決済処理ステップが、上記利用者決済方法情報に基づき、上記決済依頼情報中の上記取引金額情報の取引金額分を、上記事業者の上記取引銀行情報宛に、決済処理を行うことができ、このような決済処理方法でもよい。
【００２６】
本願第４番目の発明による決済処理方法は、本願第３番目の発明において、好ましくは、
上記支払者確認ステップが、
上記決済依頼情報中の、時刻情報を含む上記第２装置位置情報及び上記取引金額情報、上記決済要求情報中の売買等取引時刻情報と上記記憶ステップに記憶する上記事業者位置情報と、を用いて、上記決済要求情報中の上記決済金額を決済する支払者を、
（１）上記第２装置位置情報と上記事業者位置情報、
（２）上記時刻情報と上記売買等取引時刻情報、
（３）上記取引金額情報と上記売買等取引金額情報
の上記（１）から（３）中の少なくともいずれか一つを照合し、確認する。
【００２７】
尚、（３）上記取引金額情報と上記売買等取引金額情報とを照合し、確認する場合、上記取引金額情報と上記売買等取引金額情報の値は、完全一致を条件とする。
【００２８】
本願第５番目の発明による決済処理方法は、本願第１番目から４番目のいずれかの発明において、好ましくは、
上記決済処理ステップが、上記利用者決済方法情報に基づき、上記事業者の上記取引銀行情報宛に、決済処理を行った後、上記決済処理の結果情報である決済処理情報を、上記決済コンピュータのコンピュータ送信ステップにより、上記第1の装置又は上記第２の装置の少なくともいずれか一方に、上記ネットワークを介して送信し、
上記第1の装置の第一装置受信ステップ又は上記第２の装置の第２装置受信ステップの少なくともいずれか一方が、上記送信された上記決済処理情報を受信し、
上記第１の装置が具備する第１装置表示ステップ又は上記第２の装置が具備する第２装置表示ステップの少なくともいずれか一方により、上記決済処理情報を表示する。
【００２９】
上記決済処理情報とは、例えば、上記決済依頼情報中の上記利用者情報中の上記利用者決済方法情報、上記決済要求情報中の上記事業者情報中の上記事業者の上記取引銀行情報、上記売買等取引金額、上記利用者決済方法情報に基づき上記決済情報中の売買等取引金額分を上記事業者の上記取引銀行情報宛に決済処理（振込支払処理）した情報、上記決済処理した日時、時刻情報、上記第２の装置の利用者の金融機関情報、決済処理代行企業情報（クレジットカード会社等）、上記決済コンピュータ情報や上記決済処理に関係する各種情報情報でよい。
【００３０】
上記第１の装置の第１装置表示ステップ又は上記第２の装置の第２装置表示ステップに関しては、上記表示ステップで説明と同様の内容でよい。
【００３１】
本願第６番目の発明による決済処理方法は、本願第１番目から５番目のいずれかの発明において、好ましくは、上記決済コンピュータにおいて、上記事業者確認情報、上記利用者確認情報、上記決済依頼情報、上記決済要求情報、上記決済処理情報、の少なくともいずれか一つを、収集し、分析する情報分析ステップを更に備え、市場・顧客・地域経済・流通等の各種分析、市場・地域・経済・文化・インバウンド等調査、商品・役務・地域・新事業等開発又は各種研究事業の少なくともいずれか一つを行う。
【００３２】
本願第７番目から１１番目までの発明は、本願１番目から６番目までのいずれかの決済処理方法を、決済処理システムとして、記載したものであり、「各ステップ」が「各部」へ対応していて、その機能、効果、実行等は同様であるため、説明は省略する。
本願第１２番目から１７番目までの発明は、本願１番目から６番目までの決済処理方法を、決済処理コンピュータとして、「各ステップ」が「各部」へ対応していて、その機能、効果、実行等は同様であるため、説明は省略する。
【００３３】
本願第１８番目の発明による決済処理方法は、好ましくは、上記第1の装置又は上記第２の装置の少なくともいずれか一方が、共通確認信号を、上記第１の装置が上記第２の装置へ又は上記第２の装置が上記第１の装置への少なくともいずれか一方により、上記第１の装置の第１装置近距離送信ステップ又は上記第２の装置の第２装置近距離送信ステップにより、近距離ネットワークを介して、送信し、
上記第1の装置又は上記第２の装置の少なくともいずれか一方が、上記第１の装置の第１装置近距離受信ステップ又は上記第２の装置の第２装置近距離受信ステップにより、上記送信される上記共通確認信号を、受信し、
上記共通確認信号を受信する上記第1の装置又は上記第２の装置の少なくともいずれか一方において、上記受信する該共通確認信号に基づき、上記第１の装置と上記第２の装置間で取引又は情報授受を行うための当事者確認を行うことを特徴とする。
【００３４】
本願第１９番目の発明による決済処理方法は、好ましくは、上記決済コンピュータにおいて、共通認証信号生成ステップにより、上記第１の装置で上記第２の装置の認証に利用可能な、上記共通認証信号を、生成し、
上記コンピュータ送信ステップにより、上記生成した共通認証信号を、上記第１の装置又は上記第２の装置の少なくともいずれか一方に、上記ネットワークを介して、送信し、
上記第1の装置又は上記第2の装置の少なくともいずれか一方が、上記送信された上記共通認証信号を、第1装置受信ステップ又は第２装置受信ステップの少なくともいずれか一方で、受信することを特徴とする。
【００３５】
本願第２０番目の発明による決済処理方法は、好ましくは、上記決済コンピュータにおいて、共通認証信号生成ステップにより、上記第１の装置で上記第２の装置の認証に利用可能な、上記共通認証信号を、生成し、
上記コンピュータ送信ステップにより、上記共通確認信号は、音源（音波）情報、画像情報又はテキスト情報の少なくともいずれか一つであることを特徴とする。
【００３６】
本願第２１番目の発明による決済処理方法は、決済コンピュータと、該決済コンピュータとネットワークを介して繋がり、認証要求を行う第１の装置と、上記決済コンピュータとネットワークを介して繋がり、認証依頼を行う第２の装置によって構成される認証又は決済の少なくともいずれか一方を行う決済処理方法あって、
上記決済コンピュータにおいて、
装置情報取得ステップにより、上記第１の装置を表す第１装置表示情報を、上記第１装置確認情報として、上記第２の装置を表す第２装置表示情報を、上記第２装置確認情報として、上記ネットワークを介して取得し、
記憶ステップにより、上記装置情報取得ステップにより取得した上記第1装置確認情報及び上記第２装置確認情報を、記憶し
共通認証信号生成ステップにより、複数の上記第１の装置で上記第２の装置の認証に利用可能な、共通認証信号を、生成し、
上記記憶ステップに、上記生成した上記共通認証信号を、記憶し、
装置認証信号生成ステップにより、上記生成した共通認証信号と上記第２の装置の上記第２装置表示情報と、を伴にして、装置認証信号を、生成し、
コンピュータ送信ステップにより、上記共通認証信号を、上記第１の装置へ、又、上記装置認証信号を上記第２の装置へ、上記ネットワークを介して、送信し、
上記第２の装置において、
予め該第２の装置を表す上記第２装置表示情報を第２装置記憶ステップに記憶しており、
第２装置受信ステップにより、上記コンピュータ送信ステップにより送信された上記装置認証信号を、上記ネットワークを介して、受信し、
第２装置記憶ステップにより、上記受信した上記装置認証信号を、記憶し、
装置認証依頼情報生成ステップにより、少なくとも上記第２装置記憶ステップに記憶する上記第２装置表示情報を含む装置認証依頼情報を、生成し、
第２装置送信ステップにより、上記生成した上記装置認証依頼情報を、上記ネットワークを介して、上記コンピュータへ送信し、且つ、
装置認証信号伝送ステップにより、上記記憶ステップに記憶する上記装置認証信号を、上記第１の装置へ、近距離通信ネットワーク又は気体のいずれか一方を介して、伝送し、
上記第１の装置において、
予め該第１の装置を表す上記第１装置表示情報を第１装置記憶ステップに記憶しており、
第１装置受信ステップにより、上記コンピュータから送信された上記共通認証信号を、上記ネットワークを介して、受信し、
第１装置記憶ステップにより、上記受信した上記共通認証信号を、記憶し、
装置認証信号伝授ステップにより、上記第２の装置から伝送された上記装置認証信号を、上記近距離通信ネットワーク又は上記気体のいずれか一方を介して、伝授し、
第１装置取引認証ステップにより、上記記憶ステップに記憶している上記共通認証信号と、上記装置認証信号伝授ステップにより伝授した上記装置認証信号中の共通認証信号と、が同一か否かの照合を行い、
（１）上記照合が同一と判断処理された場合、上記第２の装置との取引又は情報授受を認証、又は
（２）上記照合が同一と判断処理されない場合、上記第２の装置との取引又は情報授受を非認証することを特徴とする。
【００３７】
上記決済コンピュータは、通信機能を有し、上記第１の装置又は上記第２の装置とネットワークを介して接続し、情報の授受、情報の記憶、記憶した情報などの読出し、照合、演算等を、例えば制御部（CPU）で制御し、実行するコンピュータ装置でよい。上記決済コンピュータは、決済コンピュータ、決済サーバ、webサーバ、AIコンピュータ、決済ゲートウエイ等で構成されてもよい。
【００３８】
上記第１の装置は、例えば、商品又は役務を提供する事業者が操作するスマートフォン、タブレット、ノートパソコン等の移動情報端末又はコンピュータ、コネクテッドカー、電車・鉄道・地下鉄等交通機関の駅の改札口（入口、出口）で乗降車を管理するコンピュータ、無人バスなどの入口、出口に設置され乗降車を管理するコンピュータなどであってもよい。
上記第２の装置は、例えば、商品又は役務を所望し購入する利用者が操作するスマートフォン、タブレット、ノートパソコン等の移動情報端末、コンピュータや、駐車場等を利用する車両、コネクテッドカー、また工場や倉庫等で稼働するコンピュータ搭載の機器などであってもよい。
【００３９】
上記決済コンピュータ、上記第１の装置及び上記第２の装置は、通信機能（通信インターフェース）を具備していて、上記決済コンピュータは、上記第１の装置及び上記第２の装置を該通信機能により、例えばインターネット網等のネットワークを介して、接続する。
通信インターフェースを具備して構成される上記サーバ送信ステップ、上記サーバ受信ステップ、上記装置情報取得ステップ、上記第２装置送信ステップ、上記第２装置受信ステップ、上記第１装置送信ステップは、例えばインターネット網等ネットワークを介して、情報の送受信（授受）を行う。尚通信機能は、無線でも有線でもよい。
上記装置情報取得ステップが取得する上記第１装置表示情報、上記第２装置表示情報は、例えば上記第１の装置が上記ネットワークを介して送信する上記第１装置表示情報及び上記第２の装置が上記ネットワークを介して送信する上記第２装置表示情報を、上記サーバ受信部により、受信し、上記取得することでよい。
【００４０】
上記第１の装置及び上記第２の装置は、操作ステップ、表示ステップ等を具備していても良い。尚、表示ステップは、例えば、ディスプレイ又はタッチパネル式ディスプレイやスピーカー、マイクロフォン、カメラなどで構成され、第１装置記憶ステップ又は第２装置記憶ステップに記憶した各種情報を読み出し部が読み出し表示したり、上記第２装置受信ステップが受信する各種情報、web情報、各種画像・映像・音声情報や、利用者が操作ステップや入力ステップを用いて操作する情報又は入力文字や音声を表示する。また、利用ガイダンスなどの画像や音声を表示してもよい。
上記表示ステップが、例えば操作ステップや各種情報を入力する入力ステップ（テキスト又はボイス入力部）を有していてもよい。上記操作ステップで、上記第２の装置の例えばスピーカーで構成される上記認証信号伝送ステップを操作し、例えば音波を上記認証信号として、空気を介して伝送し、上記第１の装置では例えばマイクを具備する上記認証信号授受ステップが上記音波を伝授することでもよい。同様に、上記操作ステップで、コード画像情報やテキスト情報の上記認証信号を、例えば赤外線通信やBluetooth Basic Rate/Enhanced Data Rate (BR/EDR) と Bluetooth Low Energy (LE)企画からなるブルートゥース（登録商標）通信、可視光通信等の近距離通信を用いて、上記第１の装置へ伝送してもよい。但し、近距離通信の方法はここに挙げた例に限らず、どのような近距離通信の方法であってもよい。
また、上記記憶ステップを構成する記憶媒体は、例えば、磁気ディスク形式、光ディスク形式、フラッシュメモリ形式、光磁気ディスク形式などであるが、ここで挙げた例に限らずどのような形式の記憶部でも良い。また記憶形式はデジタルデータ又はアナログデータのどちらでも良い。
【００４１】
上記第１装置確認情報は、上記第１の装置の上記第１装置表示情報に限らず、例えば事業名称、事業経営者名称、サービス名称、住所、電話番号、ウエブサイト情報、イーメールアドレス、ファックス番号、事業者識別番号、事業者識別情報、事業者の取引銀行などの情報が含まれていてもよい。但し、第１装置確認情報は、ここで挙げた例に限らず、第１の装置または大地の装置を操作する事業者に関連する情報であればどのような情報でもよい。
また上記第２装置確認情報は、上記第２の装置の上記第２装置表示情報に限らず、例えば上記第２の装置を操作する利用者の氏名、住所、メールアドレス、電話番号、性別、生年月日等と、上記利用者が商品・役務等の購入決済を実行する際に必要となる利用者識別情報（identification information）、利用者認証情報（Authentication information）及び決済方法など、上記利用者が上記決済コンピュータに認証及び／又は決済処理依頼をし、上記決済コンピュータが認証及び／又は決済処理の実行を可能せしめる情報を含んでよい。
但し、上記第１装置確認情報は、ここで挙げた例に限らず、利用者関連情報及び利用者決済を可能せしめる又は利用者決済を許諾する情報であればどのような情報でもよい。
【００４２】
共通認証信号生成ステップにより、生成される上記共通認証信号と、装置認証信号生成ステップで生成される上記装置認証信号と、を活用することを特徴とする本発明は、第２の装置を操作する利用者の、例えば電車等公共交通機関利用において、乗車口から乗車し、電車の降車口から降車する時の、乗車認証装置としての第１の装置と、降車認証と運賃決済処理を行うための第１の装置というような利用ケースにおいて、特に有効となる。即ち、例えば乗車認証装置としての第１の装置は、第２の装置の乗車認証を上記共通認証信号で行い、第２の装置の降車認証と決済処理（要求）を、上記装置認証信号に基づき行うことで、利用者の乗車管理と降車・決済管理をスムーズに実行することが可能となる。
本願第２１番目の発明による決済処理方法は、第１の装置が、例えば電車等公共交通機関の乗降車管理における第２の装置の乗車管理を行う方法として実施してもよい。
【００４３】
本願第２２番目の発明による決済処理方法は、好ましくは、上記第１の装置において、
認証承認要求生成ステップにより、上記第２の装置の認証に係る事象の承認を上記コンピュータに要求するため、少なくとも上記第２の装置から上記伝授した上記装置認証信号中の上記第２装置表示情報と、上記第１装置記憶ステップに記憶する上記第１装置表示情報と、を伴にして、認証承認要求情報を、生成し、
第２装置送信ステップにより、上記生成した上記認証承認要求情報を、上記ネットワークを介して、上記コンピュータへ送信し、
上記決済コンピュータにおいて、
コンピュータ受信ステップにより、上記第２の装置から送信された上記装置認証依頼情報と、上記第１の装置から送信された上記認証承認要求情報を、上記ネットワークを介して、受信し、
認証承認ステップにより、上記第２の装置から上記受信した上記装置認証依頼情報中の上記第２装置表示情報、上記第１の装置から受信した上記認証承認要求情報中の上記第１装置表示情報及び上記第２装置表示情報、上記記憶ステップに記憶する上記第１装置確認情報中の上記第１装置表示情報、上記第２装置確認情報中の上記第２装置表示情報と、を用いて、
（１）上記受信した上記第２装置表示情報と上記記憶ステップに記憶する上記第２装置表示情報とが、同一であるか否か、及び
（２）上記受信した第１装置表示情報と上記記憶ステップに記憶する上記第１装置表示情報とが、同一であるか否か、
を照合し、上記（１）及び（２）の上記照合が上記同一であると確認されれば、
上記第１の装置が要求する、上記第２の装置の認証に係る事象を承認することを特徴とする。
【００４４】
本発明によれば、上記（１）及び（２）の上記照合が上記同一であると確認するという技術により、第１の装置が、例えば電車等公共交通機関の乗降車管理における第２の装置の降車及び運賃決済管理を行う方法として実施してもよい。
【００４５】
本願第２３番目の発明による決済処理方法は、好ましくは、上記認証承認要求生成ステップが生成する上記認証承認要求には、上記第２の装置から伝授した上記取引認証情報中の上記共通認証信号が含まれていて、
上記決済コンピュータの上記記憶ステップには、上記共通認証信号生成ステップで生成した上記共通認証信号を、記憶していて、
上記認証承認ステップが、
上記記憶ステップに記憶する上記共通認証信号と、上記第１の装置から受信する上記認証承認要求中の上記共通認証信号と、を用いて、
上記（１）及び（２）の上記同一であるか否かの照合に加えて、
（３）上記認証承認要求中の上記共通認証信号が、上記記憶ステップに記憶する上記共通認証信号と、同一であるか否かを、照合し、上記（１）（２）及び（３）の上記照合が上記同一であると確認されれば、上記第１の装置が要求する、上記第２の装置の認証に係る事象を承認することを特徴とする。
【００４６】
本願第２４番目の発明による決済処理方法は、好ましくは、上記決済コンピュータにおいて、
認証承認結果報告ステップが、上記認証承認ステップにより行われる少なくとも上記（１）及び（２）における上記同一であるか否かの照合の結果である認証結果情報を、上記コンピュータ送信ステップにより、上記第１の装置又は上記第２の装置の少なくともいずれか一方に、送信し、上記第１の装置の上記第１受信ステップ又は上記第２の装置の上記第２装置受信ステップの少なくともいずれか一方が、上記認証承認結果情報を受信することを特徴とする。
【００４７】
本願第２５番目の発明による決済処理方法は、好ましくは、上記認証信号生成ステップにより生成される上記共通認証信号が、音波、画像情報、数字又は数字と文字の組合せの少なくともいずれか一つであることを特徴とする。
【００４８】
本願第２６番目の発明による決済処理方法は、好ましくは、上記装置情報取得ステップが取得する上記第１装置確認情報には、上記第１装置が設置されている場所情報又は上記第１の装置の位置情報の少なくともいずれか一方（以下「第１装置位置情報」という」をさらに含んでおり、
上記記憶ステップが、上記第１装置位置情報を、記憶しており、
上記装置認証依頼情報生成ステップが、上記第２装置の位置情報をさらに含み、装置認証依頼情報を生成し、上記生成した上記装置認証依頼情報を、上記第二装置送信ステップにより、上記決済コンピュータに送信しており、
上記決済コンピュータにおいて、
上記コンピュータ受信ステップが、上記第２装置が送信した上記装置認証依頼情報を、受信し、
上記認証承認ステップが、上記受信した上記装置認証依頼情報中にさらに含まれる上記第２の装置の位置情報と、上記記憶ステップに記憶する上記第１装置位置情報と、を用いて、
（４）上記第１装置位置情報と上記第２の装置の位置情報とが、所定の範囲内に在るか否か、の照合を、さらに行うことを特徴とする。
【００４９】
本願第２７番目の発明による決済処理方法は、好ましくは、上記認証依頼情報中の上記第２の装置の位置情報には、時刻情報が含まれており、
上記認証要求情報生成ステップが、上記認証要求情報を生成する際に、上記生成する時刻情報を含み生成しており、
上記決済コンピュータにおいて、
上記コンピュータ受信ステップが、時刻情報を含む上記認証依頼情報と、時刻情報を含む上記認証要求情報と、を受信し、
上記認証ステップが、上記認証依頼情報中の上記第２の装置の位置情報中の上記時刻情報と、上記認証要求情報中の上記時刻情報と、を用いて、上記（１）から（３）又は上記（１）から（４）の上記照合に加えて、上記位置情報中の上記時刻情報と上記認証要求情報中の上記時刻情報とが、所定の時刻内か否か、の照合を、さらに行うことを特徴とする。
【００５０】
本願第２８番目の発明による決済処理方法は、好ましくは、上記装置情報取得ステップが、上記第１装置確認情報に上記第１の装置を操作する商取引等事業者の取引銀行情報をさらに含み取得し、又、上記第２装置確認情報に上記第２の装置を操作する利用者が上記商取引等を所望する際に決済可能な決済方法情報をさらに含み取得しており、
上記認証要求情報生成ステップが、上記利用者が所望する上記商取引等の支払金額（料金）をさらに含み、上記認証要求情報を生成しており、
上記生成した上記認証要求情報を、上記第１装置送信ステップにより、上記決済コンピュータに送信しており、
上記送信された上記認証要求情報と上記認証依頼情報と、を上記コンピュータ受信ステップにより、受信する上記決済コンピュータにおいて、
上記認証ステップにより、上記（１）から（３）の上記照合が全て上記同一、又は、上記（１）から（３）の上記照合が全て上記同一に加えて上記（４）又は（５）の少なくともいずれか一方の上記照合が上記同一、の少なくともいずれか一方と確認されれば、
決済処理ステップにより、上記記憶ステップに記憶している上記第１装置確認情報中の上記取引銀行情報と、上記第２装置確認情報中の上記決済方法情報と、を用いて、
上記利用者から、上記認証要求情報中の上記支払金額を、上記利用者の上記決済方法情報に基づき、上記事業者の上記取引銀行情報に支払い決済処理することを特徴とする。
【００５１】
本願第２９番目の発明による決済処理方法は、好ましくは、上記認証信号生成ステップは、ワンタイム認証信号を生成しており、上記生成したワンタイム認証信号を、上記コンピュータ送信ステップにより、上記第２の装置へ送信しており、
上記第２の装置が、上記第２装置受信ステップにより、上記ワンタイム認証信号を受信し、上記第２装置記憶ステップに記憶しており、
上記認証依頼情報生成ステップが、上記認証依頼情報を生成し、上記第２装置送信ステップにより、上記認証依頼情報を、上記コンピュータへ送信し、
上記認証信号伝送ステップが、上記ワンタイム認証信号を、上記近距離通信ネットワーク又は上記気体のいずれか一方を介して、上記第１の装置へ向けて、伝送しており、
上記第１の装置において、上記伝送された上記ワンタイム認証信号を、上記認証信号伝授ステップにより、上記伝授し、
上記認証要求情報生成ステップにより、上記伝授した上記ワンタイム認証信号と、上記第１装置記憶ステップに記憶している上記第１装置表示情報とを伴にして、認証要求情報として生成し、上記生成した認証要求情報を、上記第１装置送信ステップにより、上記決済コンピュータへ送信しており、
上記決済コンピュータにおいて、
上記コンピュータ受信ステップにより、上記認証依頼情報と上記認証要求情報を、受信し、
上記認証ステップにより、少なくとも上記（１）から（３）までと同様の照合行程を行い、上記認証結果報告ステップが、上記照合結果情報を、上記第１の装置又は上記第２の装置の少なくともいずれか一方に送信すれば、
認証信号管理ステップが、上記ワンタイム認証信号生成ステップにより生成した上記ワンタイム認証信号につき、二回以上利活用付加に、又は、上記ワンタイム認証信号生成ステップによるその生成を所定時間内生成不可に、管理することを特徴とする。
【００５２】
本願第３０番目の発明による決済処理方法は、好ましくは、上記ワンタイム認証信号を生成する上記認証信号生成ステップが、ランダムな複数の数字列又は数字と文字の組合せのいずれか一方に基づき、ユニークな音波、画像情報、数字又は数字と文字の組合せを認証信号として連続生成するユニーク認証信号生成部を更に備えることを特徴する。
【００５３】
本願第３１番目の発明による決済処理方法は、好ましくは、上記第１の装置において、
上記第１装置記憶ステップが、上記認証信号伝授ステップにより伝授する上記認証信号又は上記ワンタイム認証信号を、記憶しており、
上記第２の装置が上記伝送する上記認証信号又は上記ワンタイム認証信号を上記認証信号伝授ステップにより伝授すれば、上記記憶ステップに記憶している、今伝授した上記認証信号又は上記ワンタイム認証信号より一つ前に伝授した上記認証信号又は上記ワンタイム認証信号と、今伝授した上記認証信号又は上記ワンタイム認証信号とが、同一か否かを、照合し、
上記照合が上記同一の場合、上記今伝授した上記認証信号又は上記ワンタイム認証信号を認証しないように管理する伝授管理ステップを更に備えていることを特徴とする。
【００５４】
本願第３２番目の発明による決済処理方法は、好ましくは、上記認証信号又は上記ワンタイム認証信号が、上記第１の装置の上記認証信号伝授ステップの、上記認証信号を伝授するための伝授機能を起動させる伝授起動信号を含み、上記認証信号伝授ステップが、上記伝授起動信号を検知する検知ステップと、上記検知ステップで上記伝授起動信号を検知した場合、上記伝授ステップを起動する起動ステップを更に備えることを特徴とする。
【００５５】
本願第３３番目の発明による決済処理方法は、好ましくは、上記事業者が、上記第１の装置を複数の地点に設置することがあり、
A地点に設置する第１の装置と、B地点に設置する第１の装置とを事業者ネットワークを介して繋いでおり、
上記装置情報取得ステップが、A地点の第１の装置、B地点の第１の装置それぞれの上記第１装置確認情報を取得しており、
上記第２の装置が、上記A地点で、上記認証信号伝送ステップにより、上記認証信号（又は上記ワンタイム認証信号）を、上記A地点の上記第１の装置へ向けて伝送し、
上記A地点の上記第１の装置が、上記伝送された上記認証信号を伝授し、上記伝授した上記認証信号と上記A地点の第１の装置の上記第１装置表示情報と、を伴にして上記認証要求情報として、上記決済コンピュータへ送信し、
上記第２の装置が、上記B地点で、上記認証信号伝送ステップにより、上記認証信号を、上記B地点の上記第１の装置へ向けて伝送し、
上記B地点の上記第１の装置が、上記伝送された上記認証信号を伝授し、上記伝授した上記認証信号と上記B地点の第１の装置の上記第１装置表示情報と、を伴にして上記認証要求情報として、上記決済コンピュータへ送信し、
上記事業者が、上記第２の装置から上記A地点と上記B地点で上記認証信号を伝授することに係る上記利用者の利用料金（価額）を含む商取引等要件を、予め設定しており、
上記決済コンピュータにおいて、上記商取引等要件を、上記コンピュータ記憶ステップに、予め記憶しており、
上記決済処理ステップにより、上記利用者の上記決済方法情報、上記事業者の上記取引銀行情報、上記記憶ステップに記憶する上記商取引等要件に基づき、上記決済処理を行うことを特徴とする。
【００５６】
本願第３４番目の発明による決済処理方法は、好ましくは、上記第２の装置を操作して上記商取引等を所望する上記利用者が、上記A地点に設置する第１の装置を入口（乗り口）として、上記B地点に設置する第１の装置を出口（降り口）として、上記認証信号伝送ステップにより上記認証信号（又は上記ワンタイム認証信号）を伝送することを特徴とする。
【００５７】
本願第３５番目の発明による決済処理方法は、好ましくは、上記事業者が上記利用料金を含む上記商取引等要件を、上記A地点に設置する第１の装置の入口（乗り口）から上記B地点に設置する第１の装置の出口（降り口）までの上記利用者の、移動距離、体験内容又は体験時間の少なくともいずれか一方に基づき上記設定していることを特徴とする。
【００５８】
本願第３６番目の発明による決済処理方法は、好ましくは、
上記決済処理方法において、上記決済コンピュータが行う上記装置情報取得ステップ、上記記憶ステップ、上記認証信号生成ステップ、上記コンピュータ送信ステップ、上記コンピュータ受信ステップ、上記認証ステップ、上記認証結果報告ステップ、上記決済処理ステップ、上記認証信号管理ステップの全て又は一部を、上記第１の装置が行うことを特徴とする。
【００５９】
本願第３７番目の発明による決済コンピュータは、認証要求を行う第１の装置及び認証依頼を行う第２の装置とネットワークを介して繋がり、認証又は決済の少なくともいずれか一方を行う決済コンピュータであって、
装置情報取得部により、上記第１の装置を表す第１装置表示情報を、上記第１装置確認情報として、上記第２の装置を表す第２装置表示情報を、上記第２装置確認情報として、上記ネットワークを介して取得し、
記憶部により、上記装置情報取得部により取得した上記第1装置確認情報及び上記第２装置確認情報を、記憶し
認証信号生成部により、上記認証要求又は上記認証依頼を行うための、所定の認証信号を、生成し、上記記憶部に、上記生成した上記認証信号を、記憶し、
コンピュータ送信部により、上記生成した上記認証信号を、上記ネットワークを介して、上記第２の装置へ送信し、
上記第２の装置が送信する上記第２の装置を表す上記第２装置表示情報を含む認証依頼情報を、コンピュータ受信部により、受信し、
上記第１の装置が送信する、上記第１の装置が上記第２の装置から近距離通信ネットワーク又は気体のいずれか一方を介して伝授した該決済コンピュータが送信した上記認証信号と上記第１の装置を表す上記第１装置表示情報とを伴にした認証要求情報を、上記ネットワークを介して、上記コンピュータ受信部により、受信し、
認証部により、上記第２の装置から上記受信した上記認証依頼情報中の上記第２装置表示情報、上記第１の装置から受信した上記認証要求情報中の上記認証信号及び上記第１装置表示情報、上記記憶部に記憶する上記第１装置確認情報中の上記第１装置表示情報、上記第２装置確認情報中の上記第２装置表示情報、及び上記認証信号と、を用いて、
（１）上記受信した上記第２装置表示情報と上記記憶ステップに記憶する上記第２装置表示情報とが、同一であるか否か、
（２）上記受信した第１装置表示情報と上記記憶ステップに記憶する上記第１装置表示情報とが、同一であるか否か、及び、
（３）上記受信した上記認証信号と上記記憶ステップに記憶する上記認証信号とが、同一であるか否か、
を照合し、上記（１）から（３）の上記照合が全て上記同一であると確認されれば、
上記第１の装置と上記第２の装置間の認証又は決済の少なくともいずれか一方を行なうことを特徴とする。
【００６０】
本願第３８番目の発明による決済コンピュータは、好ましくは、認証結果報告部が、上記認証部により行われる上記（１）から（３）における上記同一であるか否かの照合の結果である認証結果情報を、上記コンピュータ送信部により、上記第１の装置又は上記第２の装置の少なくともいずれか一方に、送信し、上記第１の装置又は上記第２の装置の少なくともいずれか一方が、上記認証結果情報を受信することを特徴とする。
【００６１】
本願第３９番目の発明による決済コンピュータは、好ましくは、上記認証信号生成部により生成される上記認証信号が、音波、画像情報、数字又は数字と文字の組合せの少なくともいずれか一つであることを特徴とする。
【００６２】
本願第４０番目の発明による決済コンピュータは、好ましくは、上記装置情報取得部が取得する上記第１装置確認情報には上記第１装置が設置されている場所情報又は上記第１の装置の位置情報の少なくともいずれか一方（以下「第１装置位置情報」という」をさらに含んでおり、上記記憶部が上記第１装置位置情報をさらに含む上記第１装置確認情報を記憶しており、
上記コンピュータ受信部が上記第２の装置から受信する上記認証依頼情報には上記第２の装置の位置情報がさらに含まれおり、
上記認証部が、上記受信した上記認証依頼情報中にさらに含まれる上記第２の装置の位置情報と、上記記憶部に記憶する上記第１装置位置情報と、を用いて、上記（１）から（３）の上記照合に加えて、
（４）上記第１装置位置情報と上記第２の装置の位置情報とが、所定の範囲内に在るか否か、の照合を、さらに行うことを特徴とする。
【００６３】
本願第４１番目の発明による決済コンピュータは、好ましくは、上記認証依頼情報中の上記第２の装置の位置情報には、時刻情報が含まれており、
上記コンピュータ受信部が受信する上記認証要求情報には上記認証要求情報を生成する際の時刻情報を含んでおり、
上記認証部が、上記認証依頼情報中の上記時刻情報と、上記認証要求情報中の上記時刻情報と、を用いて、上記（１）から（３）又は上記（１）から（４）の上記照合に加えて、上記位置情報中の上記時刻情報と上記認証要求情報中の上記時刻情報とが、所定の時刻内か否か、の照合を、さらに行うことを特徴とする。
【００６４】
本願第４２番目の発明による決済コンピュータは、好ましくは、上記装置情報取得部が、上記第１装置確認情報に上記第１の装置を操作する商取引等事業者の取引銀行情報をさらに含み取得し、又、上記第２装置確認情報に上記第２の装置を操作する利用者が上記商取引等を所望する際に決済可能な決済方法情報をさらに含み取得しており、
上記コンピュータ受信部が受信する上記認証要求情報には上記利用者が所望する上記商取引等の支払金額（料金）がさらに含まれており、
上記認証部により、上記（１）から（３）の上記照合が全て上記同一、又は、上記（１）から（３）の上記照合が全て上記同一に加えて上記（４）又は（５）の少なくともいずれか一方の上記照合が上記同一、の少なくともいずれか一方と確認されれば、
決済処理部により、上記記憶部に記憶している上記第１装置確認情報中の上記取引銀行情報と、上記第２装置確認情報中の上記決済方法情報と、を用いて、
上記利用者から、上記認証要求情報中の上記支払金額を、上記利用者の上記決済方法に基づき、上記事業者の上記取引銀行情報に支払い決済処理することを特徴とする。
【００６５】
本願第４３番目の発明による決済コンピュータは、好ましくは、上記認証信号生成部は、ワンタイム認証信号を生成しており、上記生成したワンタイム認証信号を、上記コンピュータ送信部により、上記第２の装置へ送信しており、
上記コンピュータ受信部が、上記認証依頼情報と上記ワンタイム認証信号を含む上記認証要求情報を、受信しており、
上記認証部により、少なくとも上記（１）から（３）までと同様の照合行程を行い、上記認証結果報告部が、上記照合結果情報を、上記第１の装置又は上記第２の装置の少なくともいずれか一方に送信すれば、
認証信号管理部が、上記ワンタイム認証信号生成部により生成した上記ワンタイム認証信号につき、二回以上利活用付加に、又は、上記ワンタイム認証信号生成部によるその生成を所定時間内生成不可に、管理することを特徴とする。
【００６６】
本願第４４番目の発明による決済コンピュータは、好ましくは、上記ワンタイム認証信号を生成する上記認証信号生成部が、ランダムな複数の数字列又は数字と文字の組合せのいずれか一方に基づき、ユニークな音波、画像情報、数字又は数字と文字の組合せを認証信号として連続生成するユニーク認証信号生成部を更に備えることを特徴する。
【００６７】
本願第４５番目の発明による決済コンピュータは、好ましくは、上記第１の装置の記憶部が、上記伝授する上記認証信号又は上記ワンタイム認証信号を、第１装置記憶部に記憶しており、
上記第２の装置が上記伝送する上記認証信号又は上記ワンタイム認証信号を今伝授すれば、上記第１装置記憶部に記憶している、今伝授した上記認証信号又は上記ワンタイム認証信号より一つ前に伝授した上記認証信号又は上記ワンタイム認証信号と、今伝授した上記認証信号又は上記ワンタイム認証信号とが、同一か否かを、照合し、
上記照合が上記同一の場合、上記今伝授した上記認証信号又は上記ワンタイム認証信号を認証しないように管理する伝授管理部を更に備えていることを特徴とする。
【００６８】
本願第４６番目の発明による決済コンピュータは、好ましくは、上記認証信号又は上記ワンタイム認証信号が、上記第１の装置の上記認証信号伝授部の、上記認証信号を伝授するための伝授機能を起動させる伝授起動信号を含み、上記認証信号伝授部が、上記伝授起動信号を検知する検知部と、上記検知部で上記伝授起動信号を検知した場合、上記伝授部を起動する起動部を更に備えることを特徴とする。
【００６９】
本願第４７番目の発明による決済コンピュータは、好ましくは、上記事業者が、上記第１の装置を複数の地点に設置することがあり、
A地点に設置する第１の装置と、B地点に設置する第１の装置とを事業者ネットワークを介して繋いでおり、
上記装置情報取得部が、A地点の第１の装置、B地点の第１の装置それぞれの上記第１装置確認情報を取得し、取得した上記それぞれの第１装置確認情報を上記記憶部に記憶し、上記認証信号生成部が生成する上記認証信号を上記記憶部に記憶し、上記生成した上記認証信号を上記第２の装置へ送信しており、
上記第２の装置が上記A地点及び上記B地点で送信する、上記第２の装置の上記第２装置表示情報を含む認証依頼情報を、上記コンピュータ受信部により、受信し、
上記A地点の上記第１の装置が送信する、上記A地点で上記第２の装置から上記伝授した上記認証信号（又は上記ワンタイム認証信号）と上記A地点の第１の装置を表す上記第１装置表示情報とを伴にした認証要求情報と、
上記B地点の上記第１の装置が送信する、上記B地点で上記第２の装置から上記伝授した上記認証信号（又は上記ワンタイム認証信号）と上記B地点の第１の装置を表す上記第２装置表示情報とを伴にした認証要求情報を、上記ネットワークを介して、上記コンピュータ受信部により、受信し、
上記事業者が、上記第２の装置から上記A地点と上記B地点で上記認証信号を伝授することに係る上記利用者の利用料金（価額）を含む商取引等要件を、予め設定しており、
上記コンピュータ記憶部に、上記商取引等要件を、予め記憶しており、
上記認証部が、上記A地点及び上記B地点において少なくとも上記（１）から（３）の上記照合が全て上記同一であると確認されれば、
上記決済処理部により、上記利用者の上記決済方法情報、上記事業者の上記取引銀行情報、上記記憶部に記憶する上記商取引等要件に基づき、上記決済処理を行うことを特徴とする。
【００７０】
本願第４８番目の発明による決済コンピュータは、好ましくは、上記第２の装置を操作して上記商取引等を所望する上記利用者が、上記A地点に設置する第１の装置を入口（乗り口）として、上記B地点に設置する第１の装置を出口（降り口）として、上記認証信号（又は上記ワンタイム認証信号）を上記第１の装置へ上記伝送することを特徴とする。
【００７１】
本願第４９番目の発明による決済コンピュータは、好ましくは、上記事業者が上記利用料金を含む上記商取引等要件を、上記A地点に設置する第１の装置の入口（乗り口）から上記B地点に設置する第１の装置の出口（降り口）までの上記利用者の、移動距離、体験内容又は体験時間の少なくともいずれか一方に基づき上記設定していることを特徴とする。
【００７２】
本願第５０番目の発明による決済コンピュータは、好ましくは、上記決済コンピュータが行う上記装置情報取得部、上記記憶部、上記認証信号生成部、上記コンピュータ送信部、上記コンピュータ受信部、上記認証部、上記認証結果報告部、上記決済処理部、上記認証信号管理部の全て又は一部を、上記第１の装置が行うことを特徴とする。
【００７３】
本願第５１番目の発明による決済処理システムは、決済コンピュータと、該決済コンピュータとネットワークを介して繋がり、認証要求を行う第１の装置と、上記決済コンピュータとネットワークを介して繋がり、認証依頼を行う第２の装置によって構成される認証又は決済の少なくともいずれか一方を行う決済処理システムあって、
上記決済コンピュータにおいて、
装置情報取得部により、上記第１の装置を表す第１装置表示情報を、上記第１装置確認情報として、上記第２の装置を表す第２装置表示情報を、上記第２装置確認情報として、上記ネットワークを介して取得し、
記憶部により、上記装置情報取得部により取得した上記第1装置確認情報及び上記第２装置確認情報を、記憶し
認証信号生成部により、上記認証要求又は上記認証依頼を行うための、所定の認証信号を、生成し、
上記記憶部に、上記生成した上記認証信号を、記憶し、
コンピュータ送信部により、上記生成した上記認証信号を、上記ネットワークを介して、上記第２の装置へ送信し、
上記第２の装置において、予め該第２の装置を表す上記第２装置表示情報を第２装置記憶部に記憶しており、
第２装置受信部により、上記コンピュータ送信部により送信された上記認証信号を、上記ネットワークを介して、受信し、
第２装置記憶部により、上記受信した上記認証信号を、記憶し、
認証依頼情報生成部により、少なくとも上記第２装置記憶部に記憶する上記第２装置表示情報を含む認証依頼情報を、生成し、
第２装置送信部により、上記生成した上記認証依頼情報を、上記ネットワークを介して、上記コンピュータへ送信し、且つ、
認証信号伝送部により、上記記憶部に記憶する上記認証信号を、上記第１の装置へ、近距離通信ネットワーク又は気体のいずれか一方を介して、伝送し、
上記第１の装置において、予め該第１の装置を表す上記第１装置表示情報を第１装置記憶部に記憶しており、
認証信号伝授部により、上記第２の装置から伝送された上記認証信号を、上記近距離通信ネットワーク又は上記気体のいずれか一方を介して、伝授し、
認証要求情報生成部により、上記伝授した上記認証信号と上記第１記憶部に記憶する上記第１装置表示情報と、を伴にして、認証要求情報として、生成し、
上記生成した認証要求情報を、第１装置送信部により、上記ネットワークを介して、上記決済コンピュータへ、送信し、
上記決済コンピュータにおいて、コンピュータ受信部により、上記第２の装置から送信された上記認証依頼情報と、上記第１の装置から送信された上記認証要求情報を、上記ネットワークを介して、受信し、
認証部により、上記第２の装置から上記受信した上記認証依頼情報中の上記第２装置表示情報、上記第１の装置から受信した上記認証要求情報中の上記認証信号及び上記第１装置表示情報、上記記憶部に記憶する上記第１装置確認情報中の上記第１装置表示情報、上記第２装置確認情報中の上記第２装置表示情報、及び上記認証信号と、を用いて、
（１）上記受信した上記第２装置表示情報と上記記憶部に記憶する上記第２装置表示情報とが、同一であるか否か、
（２）上記受信した第１装置表示情報と上記記憶部に記憶する上記第１装置表示情報とが、同一であるか否か、及び、
（３）上記受信した上記認証信号と上記記憶部に記憶する上記認証信号とが、同一であるか否か、
を照合し、上記（１）から（３）の上記照合が全て上記同一であると確認されれば、
上記第１の装置と上記第２の装置間の認証又は決済の少なくともいずれか一方が行われることを特徴とする。
【００７４】
本願第５２番目の発明による決済処理システムは、好ましくは、上記決済コンピュータにおいて、認証結果報告部が、上記認証部により行われる上記（１）から（３）における上記同一であるか否かの照合の結果である認証結果情報を、上記コンピュータ送信部により、上記第１の装置又は上記第２の装置の少なくともいずれか一方に、送信し、上記第１の装置の上記第１受信部又は上記第２の装置の上記第２装置受信部の少なくともいずれか一方が、上記認証結果情報を受信することを特徴とする。
【００７５】
本願第５３番目の発明による決済処理システムは、好ましくは、上記認証信号生成部により生成される上記認証信号が、音波、画像情報、数字又は数字と文字の組合せの少なくともいずれか一つであることを特徴とする。
【００７６】
本願第５４番目の発明による決済処理システムは、好ましくは、上記装置情報取得部が、上記第１装置確認情報に上記第１の装置を操作する商取引等事業者の取引銀行情報をさらに含み取得し、又、上記第２装置確認情報に上記第２の装置を操作する利用者が上記商取引等を所望する際に決済可能な決済方法情報をさらに含み取得しており、
上記認証要求情報生成部が、上記利用者が所望する上記商取引等の支払金額（料金）をさらに含み、上記認証要求情報を生成しており、
上記生成した上記認証要求情報を、上記第１装置送信部により、上記決済コンピュータに送信しており、
上記送信された上記認証要求情報と上記認証依頼情報と、を上記コンピュータ受信部により、受信する上記決済コンピュータにおいて、
上記認証部により、上記（１）から（３）の上記照合が全て上記同一、又は、上記（１）から（３）の上記照合が全て上記同一に加えて上記（４）又は（５）の少なくともいずれか一方の上記照合が上記同一、の少なくともいずれか一方と確認されれば、
決済処理部により、上記記憶部に記憶している上記第１装置確認情報中の上記取引銀行情報と、上記第２装置確認情報中の上記決済方法情報と、を用いて、
上記利用者から、上記認証要求情報中の上記支払金額を、上記利用者の上記決済方法情報に基づき、上記事業者の上記取引銀行情報に支払い決済処理することを特徴とする。
【００７７】
本願第５５番目の発明による決済処理システムは、好ましくは、上記認証信号生成部は、ワンタイム認証信号を生成しており、上記生成したワンタイム認証信号を、上記コンピュータ送信部により、上記第２の装置へ送信しており、
上記第２の装置が、上記第２装置受信部により、上記ワンタイム認証信号を受信し、上記第２装置記憶部に記憶しており、
上記認証依頼情報生成部が、上記認証依頼情報を生成し、上記第２装置送信部により、上記認証依頼情報を、上記コンピュータへ送信し、
上記認証信号伝送部が、上記ワンタイム認証信号を、上記近距離通信ネットワーク又は上記気体のいずれか一方を介して、上記第１の装置へ向けて、伝送しており、
上記第１の装置において、上記伝送された上記ワンタイム認証信号を、上記認証信号伝授部により、上記伝授し、
上記認証要求情報生成部により、上記伝授した上記ワンタイム認証信号と、上記第１装置記憶部に記憶している上記第１装置表示情報とを伴にして、認証要求情報として生成し、上記生成した認証要求情報を、上記第１装置送信部により、上記決済コンピュータへ送信しており、
上記決済コンピュータにおいて、
上記コンピュータ受信部により、上記認証依頼情報と上記認証要求情報を、受信し、
上記認証部により、少なくとも上記（１）から（３）までと同様の照合行程を行い、上記認証結果報告部が、上記照合結果情報を、上記第１の装置又は上記第２の装置の少なくともいずれか一方に送信すれば、
認証信号管理部が、上記ワンタイム認証信号生成部により生成した上記ワンタイム認証信号につき、二回以上利活用付加に、又は、上記ワンタイム認証信号生成部によるその生成を所定時間内生成不可に、管理することを特徴とする。
【００７８】
本願第５６番目の発明による決済処理システムは、好ましくは、上記ワンタイム認証信号を生成する上記認証信号生成部が、ランダムな複数の数字列又は数字と文字の組合せのいずれか一方に基づき、ユニークな音波、画像情報、数字又は数字と文字の組合せを認証信号として連続生成するユニーク認証信号生成部を更に備えることを特徴する。
【００７９】
本願第５７番目の発明による決済処理システムは、好ましくは、上記第１の装置において、
上記第１装置記憶部が、上記認証信号伝授部により伝授する上記認証信号又は上記ワンタイム認証信号を、記憶しており、
上記第２の装置が上記伝送する上記認証信号又は上記ワンタイム認証信号を上記認証信号伝授部により伝授すれば、上記記憶部に記憶している、今伝授した上記認証信号又は上記ワンタイム認証信号より一つ前に伝授した上記認証信号又は上記ワンタイム認証信号と、今伝授した上記認証信号又は上記ワンタイム認証信号とが、同一か否かを、照合し、
上記照合が上記同一の場合、上記今伝授した上記認証信号又は上記ワンタイム認証信号を認証しないように管理する伝授管理部を更に備えていることを特徴とする。
【００８０】
本願第５８番目の発明による決済処理システムは、好ましくは、上記事業者が、上記第１の装置を複数の地点に設置することがあり、
A地点に設置する第１の装置と、B地点に設置する第１の装置とを事業者ネットワークを介して繋いでおり、
上記装置情報取得部が、A地点の第１の装置、B地点の第１の装置それぞれの上記第１装置確認情報を取得しており、
上記第２の装置が、上記A地点で、上記認証信号伝送部により、上記認証信号（又は上記ワンタイム認証信号）を、上記A地点の上記第１の装置へ向けて伝送し、
上記A地点の上記第１の装置が、上記伝送された上記認証信号を伝授し、上記伝授した上記認証信号と上記A地点の第１の装置の上記第１装置表示情報と、を伴にして上記認証要求情報として、上記決済コンピュータへ送信し、
上記第２の装置が、上記B地点で、上記認証信号伝送部により、上記認証信号を、上記B地点の上記第１の装置へ向けて伝送し、
上記B地点の上記第１の装置が、上記伝送された上記認証信号を伝授し、上記伝授した上記認証信号と上記B地点の第１の装置の上記第１装置表示情報と、を伴にして上記認証要求情報として、上記決済コンピュータへ送信し、
上記事業者が、上記第２の装置から上記A地点と上記B地点で上記認証信号を伝授することに係る上記利用者の利用料金（価額）を含む商取引等要件を、予め設定しており、
上記決済コンピュータにおいて、上記商取引等要件を、上記コンピュータ記憶部に、予め記憶しており、
上記決済処理部により、上記利用者の上記決済方法情報、上記事業者の上記取引銀行情報、上記記憶部に記憶する上記商取引等要件に基づき、上記決済処理を行うことを特徴とする。
【００８１】
本願第５９番目の発明による決済処理システムは、好ましくは、上記第２の装置を操作して上記商取引等を所望する上記利用者が、上記A地点に設置する第１の装置を入口（乗り口）として、上記B地点に設置する第１の装置を出口（降り口）として、上記認証信号伝送部により上記認証信号（又は上記ワンタイム認証信号）を伝送することを特徴とする。
【００８２】
本願第６０番目の発明による決済処理システムは、好ましくは、上記事業者が上記利用料金を含む上記商取引等要件を、上記A地点に設置する第１の装置の入口（乗り口）から上記B地点に設置する第１の装置の出口（降り口）までの上記利用者の、移動距離、体験内容又は体験時間の少なくともいずれか一方に基づき上記設定していることを特徴とする。
【００８３】
本願第６１番目の発明による決済処理システムは、好ましくは、上記決済処理システムにおいて、上記決済コンピュータが行う上記装置情報取得部、上記記憶部、上記認証信号生成部、上記コンピュータ送信部、上記コンピュータ受信部、上記認証部、上記認証結果報告部、上記決済処理部、上記認証信号管理部の全て又は一部を、上記第１の装置が行うことを特徴とする。
【００８４】
上記共通確認信号生成ステップで生成する共通確認信号は、例えば音源情報、画像情報、又はテキスト情報として生成され、生成される際に暗号化しても良いし、暗号化しなくてもよい。暗号化された場合には、例えば、上記第１の装置又は上記第２の装置の少なくともいずれか一方に、上記暗号化された上記共通確認信号を複合するためのアプリケーションを有していても良い。
【００８５】
上記第２の装置の利用者の決済方法情報とは、例えば、上記利用者の銀行口座からの引き落とし、デビットカード又はクレジットカード等による支払い手段や何回払いにするか、後払い等の支払い方法や、その他の電子マネー支払、所謂プリペード式の電子決済方法、ローン支払い、仮想通貨、デジタル通貨を利用した支払方法など、上記利用者が上記商品又は役務を所望し購入するための決済情報であればどのような情報であってもよい。また、上記第２の装置の利用者の決済方法情報は、ここに例を挙げた以外であっても、上記利用者が上記商品又は役務を所望し購入するための、決済手段・決済方法・支払い方法等の情報であればどのような情報でもよい。
【００８６】
当事者確認ステップが、上記受信した上記決済依頼情報中の上記第２装置表示情報と、上記記憶ステップに記憶する上記第２装置確認情報中の上記第２装置表示情報と上記利用者情報とを用いて、上記受信した上記決済依頼情報の送信者を、上記第２の装置の利用者であることを、照合し確認する。
上記当事者確認ステップが、上記決済依頼情報を受信すれば、例えば、上記決済依頼情報中の上記第２装置表示情報を確認し選択し、上記記憶ステップ中から、上記記憶ステップに例えばデータベース形式で記憶する上記第２装置確認情報中の上記第２装置表示情報から、テキスト検索または例えばExcelのMATCH関数等を活用し、上記決済依頼情報中の上記第２装置表示情報と同一の上記第２装置表示情報が上記記憶ステップ中にあるか否かを例えば中央処理ステップを用いて検証・判定し、「ある」と判定した場合、上記決済依頼情報を送信した利用者が、記憶ステップ中にある上記第２の装置の利用者であると確認することでよい。
上記当事者確認ステップが、上記第２装置表示情報の照合、確認法と同様に、上記受信した上記決済要求情報中の上記第１装置表示情報と、上記記憶ステップに記憶する上記第１装置確認情報中の上記第１装置表示情報とを用いて、上記決済要求情報を送信した送信者を、上記第１の装置の事業者であることを、照合し確認する。
【００８７】
支払者確認ステップが、上記決済依頼情報中の上記第２装置位置情報と、上記記憶ステップに記憶する上記事業者位置情報と、を用いて、上記決済要求情報中の上記売買等取引金額を決済する支払者を、上記第２の装置の利用者として、照合し、確認する。
上記決済依頼情報中の上記第２装置位置情報は、通常、緯度、経度で表される。
上記事業者位置情報は、上記売買等取引を提供する上記場所情報（住所情報）又は上記第１の装置の位置情報である。上記事業者位置情報が上記第１の装置の位置情報である場合は、上記第２装置位置情報と同じ形式の緯度、経度で表示可能なため、同一単位として照合し確認できる。
【００８８】
ここで、上記支払者確認ステップが、上記第２装置位置情報と上記事業者位置情報と、を照合し確認する方法は、例えば、上記第２装置位置情報と上記事業者位置情報とが所定のエリア範囲内にあるか否かの照合を、例えばExcelのMATCH関数等を活用して照合することでよい。所定のエリア範囲内とは、上記第２装置位置情報と上記事業者位置情報の完全一致を含み、又は、例えば上記事業者位置情報（又は上記第２装置位置情報でもよい）を中心点とした所定の半径で設定されるエリア範囲を照合条件として、任意に設定してよい。好ましくは、所定のエリア範囲を上記中心点から半径３メートルから３０メートル以内とすることが望ましい。尚、上記所定のエリア範囲の設定は、例えば上記事業者位置情報を上記中心点とした場合、該中心点と上記第２装置位置情報との距離範囲の設定と同等と捉えてもよい。
また、上記第２装置位置情報と、上記事業者位置情報との上記照合において、上記事業者位置情報が上記場所情報でそれが住所情報の場合、所謂ジオコーディングと呼ばれる既存アプリケーション等によって、住所情報から緯度、経度へ変換することが可能である。
上記支払者確認ステップが、上記のような行程により、上記決済依頼情報を送信した上記利用者が今居る場所と、上記決済要求情報を送信した事業者位置情報が、上記所定のエリア範囲内であることにより、上記決済要求情報中の上記売買等取引金額を決済する支払者を、上記第２の装置の利用者として、照合し、確認する。
【００８９】
決済処理ステップが、上記決済依頼情報中の上記利用者情報中の上記利用者決済方法情報と、上記決済要求情報中の上記事業者情報中の上記事業者の上記取引銀行情報及び上記売買等取引金額と、を用いて、上記利用者決済方法情報に基づき、上記決済情報中の売買等取引金額分を、上記事業者の上記取引銀行情報宛に、決済処理（振込支払処理）を行う。
例えば、上記利用者情報中の上記利用者決済方法情報が、取引銀行からの引き落としと設定されていれば、上記決済処理ステップが、上記利用者が設定した取引銀行から、上記売買等取引金額分を、上記事業者の上記取引銀行情報宛に、振込処理を実行することでよい。
【００９０】
近距離ネットワークとは、交信距離の短い無線通信ネットワークでよい。例えば、Near field communication（NFC）と言われている無線通信を活用することでもよい。NFCはRFID（Radio Frequency IDentification）と呼ばれる無線通信による個体識別の技術の一種で、近距離の無線通信技術を統一化した世界共通の規格であり、このような規格の通信を活用することでよい。ICチップを内蔵したNFCタグをNFCのリーダ・ライタ機能を有する機器で読み取ったり書き込んだりすることで、通信又は情報の授受を行う。
また、近距離ネットワークとは、例えばWi-Fi、赤外線通信、ブルートゥース等を活用した、近距離通信ネットワークであっても良い。
【００９１】
上記共通確認信号生成ステップが、例えば自動的にユニークなテキスト情報を生成するユニーク確認情報生成ステップを更に、具備していても良い。上記ユニーク確認情報生成ステップは、例えばユーザの名前、住所、誕生日、メールアドレス等から、自動的にハッシュ関数を生成することでも良いし、又は、ユニークな数値や整数、ユニークな数値と文字の組合せを生成するようになされていても良い。また上記生成するユニークな数値に基づき、その数値を周波数とした音波を生成しすることでも良い。
【００９２】
当事者確認ステップ
また、本発明は、鉄道、地下鉄、電車などの公共の交通機関の決済システムとして利用可能である。例えば、上記第１の装置を、例えば、地下鉄や電車などの交通機関の複数の駅の出入り口に、それぞれ配置し、入り口（乗車口）の第１の装置で上記認証ステップ又は上記第１装置取引認証ステップにより、当該交通機関を利用する利用者が操作する上記第２の装置の認証を行い、出口（降車口）の第１の装置で、利用者の認証（確認）を行うと共に、利用分（乗車分、移動分）の価額（運賃）を、上記決済要求情報又は上記認証要求情報に基づき、決済処理するために活用することでもよい。上記利用者が利用できる各駅から各駅までの利用価額（運賃表）は、予め交通機関を提供運営する会社等により決定されていて、例えば上記決済コンピュータの上記記憶ステップにデータベースとして、それら利用価額（運賃表）が記憶されており、上記第１の装置から取得する上記決済要求情報又は上記認証要求情報に基づき、利用者が利用した移動内容を取得し、上記決済処理をすることでも良い。
【００９３】
同様に、例えば、バス（無人運転者バス）やライドシェア等の利用者が、乗車口に設置された上記第１の装置により、上記第２の装置の上記認証を行い、降車口に設置された上記第１の装置により、例えば、上記第２の装置の認証と共に、上記第２の装置の位置情報の移動位置情報又は上記第１の装置の上記位置情報の移動位置情報を用いて又はバスやライドシェア車両の運営会社が予め設定した第１の装置（バスやライドシェア）が移動するルード上の第１の装置の移動位置情報又は第１の装置の移動位置情報と連動する駅番号を用いて、上記利用者が利用した移動内容を取得又は判断し、上記決済処理をすることでも良い。但し、上記決済処理の全部又は一部を、上記第１の装置が備えるコンピュータが、エッジコンピューティングとして、上記決済コンピュータに替わり実行するようになされていても良い。
【発明の実施の形態】
【００９４】
本発明の実施の形態の１は、決済コンピュータと、該決済コンピュータと例えばインターネットのネットワークを介して繋がり売買等取引を提供する場所にある例えばタブレット等移動情報端末である第１の装置と、該決済コンピュータとネットワークを介して繋がり売買等取引を所望する例えばスマートフォン等移動情報端末である第２の装置によって構成される決済方法であって、
例えば、決済サーバである上記決済コンピュータにおいて、
通信機能（通信インターフェース）で構成される装置情報取得ステップにより、上記第１の装置を例えばUnique Device Identifier、MACアドレス、identifierForVendor、AdvertisingIdentifier、Mobile Equipment Identifier、Electronic Serial Numberなど形式で識別可能として表す第１装置表示情報と、少なくとも、上記第１の装置を操作する事業者の取引銀行情報、上記売買等取引を提供する上記場所情報又は上記第１の装置の位置情報である第１装置位置情報の少なくともいずれか一方（以下、事業者位置情報という）を含む上記事業者の情報である事業者情報を、上記ネットワークを介して取得し、
上記装置情報取得ステップにより取得した上記第１装置表示情報と上記事業者情報とを、例えば表データ（テーブルデータ）等を用いたデータべース化又はhtml記述を用いてハイパーリンク構造等により、対応付けて第１装置確認情報として、例えば磁気ディスク、光ディスク、フラッシュメモリ、光磁気ディスク等媒体で構成される記憶ステップにより、例えばデータベース形式で、記憶し、
上記装置情報取得ステップにより、上記第２の装置を例えばUnique Device Identifier、MACアドレス、identifierForVendorなど形式で識別可能として表す第２装置表示情報と、少なくとも上記第２の装置の利用者の、例えば銀行口座からの引き落とし、デビットカード又はクレジットカード等による支払い手段や何回払いにするか等の支払い方法や後払いなどの決済方法情報を含む利用者情報とを、上記ネットワークを介して取得し、
上記装置情報取得ステップにより取得した上記第２装置表示情報と上記利用者情報とを対応付けて第２装置確認情報として、上記記憶ステップに、記憶し、
上記第２の装置が、該第２の装置の利用者が上記事業者に対して、例えば商品又は役務の購入等取引である上記売買等取引を所望しその売買等取引の決済仲介業務を上記決済コンピュータに対して依頼するために、上記第２装置表示情報と、該第２の装置の例えばGPS活用による位置情報を取得し表示することによる第２装置位置情報と、を伴にして、決済依頼情報として、決済依頼情報生成ステップにより、生成し、
上記生成した上記決済依頼情報を、例えば通信ステップを具備する第２装置送信ステップにより、上記ネットワークを介して、上記決済コンピュータに、送信し、
上記第１の装置が、上記第２の装置の利用者が所望する上記売買等取引に係る、例えば商品代金又はサービス代金等である売買等取引金額を含む決済情報と、上記第１装置表示情報と、を伴にして、決済要求情報として、決済要求情報生成ステップにより、生成し、
上記生成した上記決済要求情報を、第１装置送信ステップにより、上記ネットワークを介して、上記決済コンピュータに、送信し、
上記決済コンピュータにおいて、上記第２装置送信ステップにより送信された上記決済依頼情報と、上記第１装置送信ステップにより送信された上記決済要求情報とを、例えば通信ステップを具備したコンピュータ受信ステップにより受信し、
当事者確認ステップが、上記受信した上記決済依頼情報中の上記第２装置表示情報と、上記記憶ステップに記憶する上記第２装置確認情報中の上記第２装置表示情報と上記利用者情報とを用いて、上記受信した上記決済依頼情報の送信者を、上記第２の装置の利用者であることを、照合し確認し、且つ、
上記受信した上記決済要求情報中の上記第１装置表示情報と、上記記憶ステップに記憶する上記第１装置確認情報中の上記第１装置表示情報とを用いて、上記決済要求情報を送信した送信者を、上記第１の装置の事業者であることを、照合し確認し、
支払者確認ステップが、
上記決済依頼情報中の上記第２装置位置情報と、上記記憶ステップに記憶する上記事業者位置情報と、を用いて、上記決済要求情報中の上記売買等取引金額を決済（支払い）する支払者を、上記決済依頼情報を送信した上記第２の装置の利用者として、照合し、確認すれば、
例えば決済コンピュータが具備する中央処理ステップや例えば外部決済処理ゲートウエイ等で構成される決済処理ステップが、
上記決済依頼情報中の上記利用者情報中の上記利用者決済方法情報と、上記決済要求情報中の上記事業者情報中の上記事業者の上記取引銀行情報及び上記売買等取引金額と、を用いて、
例えば上記第２の装置の利用者決済方法として予め設定されているプリペード式の決済方法又は銀行引き落としによる決済方法とする上記利用者決済方法情報に基づき、上記決済情報中の売買等取引金額分を、上記事業者の上記取引銀行情報宛に、決済処理（振込支払処理）を行う。
【００９５】
本発明の実施の形態の２は、決済コンピュータ（コンピュータ）と、該決済コンピュータと例えばインターネットのネットワークを介して繋がり、認証要求を行う第１の装置と、上記決済コンピュータとネットワークを介して繋がり、認証依頼を行う第２の装置によって構成される認証又は決済の少なくともいずれか一方を行う決済処理方法あって、
上記決済コンピュータにおいて、
装置情報取得ステップにより、上記第１の装置を表す第１装置表示情報を、上記第１装置確認情報として、上記第２の装置を表す第２装置表示情報を、上記第２装置確認情報として、上記ネットワークを介して取得し、
例えば磁気ディスク、光ディスク、フラッシュメモリ、光磁気ディスク等媒体で構成される記憶ステップにより、上記装置情報取得ステップにより取得した上記第1装置確認情報及び上記第２装置確認情報を、例えばデータベース形式で記憶し
認証信号生成ステップにより、上記認証要求又は上記認証依頼を行うための、所定の認証信号を、生成し、
上記記憶ステップに、上記生成した上記認証信号を、記憶し、
例えば通信ステップを具備するサーバ送信ステップにより、上記生成した上記認証信号を、上記ネットワークを介して、上記第２の装置へ送信し、
上記第２の装置において、予め該第２の装置を表す上記第２装置表示情報を第２装置記憶ステップに記憶しており、
第２装置受信ステップにより、上記サーバ送信ステップにより送信された上記認証信号を、上記ネットワークを介して、受信し、
第２装置記憶ステップにより、上記受信した上記認証信号を、記憶し、
認証依頼情報生成ステップにより、少なくとも上記第２装置記憶ステップに記憶する上記第２装置表示情報を含む認証依頼情報を、生成し、
第２装置送信ステップにより、上記生成した上記認証依頼情報を、上記ネットワークを介して、上記サーバへ送信し、且つ、
例えばスピーカーステップ又は近距離通信ステップを具備する認証信号伝送ステップにより、上記記憶ステップに記憶する上記認証信号を、上記第１の装置へ、近距離通信ネットワーク又は気体（空気）のいずれか一方を介して、伝送し、
上記第１の装置において、予め該第１の装置を表す上記第１装置表示情報を第１装置記憶ステップに記憶しており、
例えばマイクロフォンステップ又は近距離通信ステップを具備する認証信号伝授ステップにより、上記第２の装置から伝送された上記認証信号を、上記近距離通信ネットワーク又は上記気体のいずれか一方を介して、伝授し、
認証要求情報生成ステップにより、上記伝授した上記認証信号と上記第１記憶ステップに記憶する上記第１装置表示情報と、を伴にして、認証要求情報として、生成し、
上記生成した認証要求情報を、第１装置送信ステップにより、上記ネットワークを介して、上記決済コンピュータへ、送信し、
上記決済コンピュータにおいて、サーバ受信ステップにより、上記第２の装置から送信された上記認証依頼情報と、上記第１の装置から送信された上記認証要求情報を、上記ネットワークを介して、受信し、
認証ステップにより、上記第２の装置から上記受信した上記認証依頼情報中の上記第２装置表示情報、上記第１の装置から受信した上記認証要求情報中の上記認証信号及び上記第１装置表示情報、上記記憶ステップに記憶する上記第１装置確認情報中の上記第１装置表示情報、上記第２装置確認情報中の上記第２装置表示情報、及び上記認証信号と、を用いて、
（１）上記受信した上記第２装置表示情報と上記記憶ステップに記憶する上記第２装置表示情報とが、同一であるか否か、
（２）上記受信した第１装置表示情報と上記記憶ステップに記憶する上記第１装置表示情報とが、同一であるか否か、及び、
（３）上記受信した上記認証信号と上記記憶ステップに記憶する上記認証信号とが、同一であるか否か、
を照合し、上記（１）から（３）の上記照合が全て上記同一であると確認されれば、
上記第１の装置と上記第２の装置間の認証又は決済の少なくともいずれか一方が行われる。
【００９６】
本発明の実施の形態の３は、決済コンピュータと、該決済コンピュータとネットワークを介して繋がり、認証要求を行う第１の装置と、上記決済コンピュータとネットワークを介して繋がり、認証依頼を行う第２の装置によって構成される認証又は決済の少なくともいずれか一方を行う決済処理システムあって、
上記決済コンピュータにおいて、
装置情報取得部により、上記第１の装置を表す第１装置表示情報を、上記第１装置確認情報として、上記第２の装置を表す第２装置表示情報を、上記第２装置確認情報として、上記ネットワークを介して取得し、
記憶部により、上記装置情報取得部により取得した上記第1装置確認情報及び上記第２装置確認情報を、記憶し
認証信号生成部により、上記認証要求又は上記認証依頼を行うための、所定の認証信号を、生成し、
上記記憶部に、上記生成した上記認証信号を、記憶し、
コンピュータ送信部により、上記生成した上記認証信号を、上記ネットワークを介して、上記第２の装置へ送信し、
上記第２の装置において、予め該第２の装置を表す上記第２装置表示情報を第２装置記憶部に記憶しており、
第２装置受信部により、上記コンピュータ送信部により送信された上記認証信号を、上記ネットワークを介して、受信し、
第２装置記憶部により、上記受信した上記認証信号を、記憶し、
認証依頼情報生成部により、少なくとも上記第２装置記憶部に記憶する上記第２装置表示情報を含む認証依頼情報を、生成し、
第２装置送信部により、上記生成した上記認証依頼情報を、上記ネットワークを介して、上記コンピュータへ送信し、且つ、
認証信号伝送部により、上記記憶部に記憶する上記認証信号を、上記第１の装置へ、近距離通信ネットワーク又は気体のいずれか一方を介して、伝送し、
上記第１の装置において、予め該第１の装置を表す上記第１装置表示情報を第１装置記憶部に記憶しており、
認証信号伝授部により、上記第２の装置から伝送された上記認証信号を、上記近距離通信ネットワーク又は上記気体のいずれか一方を介して、伝授し、
認証要求情報生成部により、上記伝授した上記認証信号と上記第１記憶部に記憶する上記第１装置表示情報と、を伴にして、認証要求情報として、生成し、
上記生成した認証要求情報を、第１装置送信部により、上記ネットワークを介して、上記決済コンピュータへ、送信し、
上記決済コンピュータにおいて、コンピュータ受信部により、上記第２の装置から送信された上記認証依頼情報と、上記第１の装置から送信された上記認証要求情報を、上記ネットワークを介して、受信し、
認証部により、上記第２の装置から上記受信した上記認証依頼情報中の上記第２装置表示情報、上記第１の装置から受信した上記認証要求情報中の上記認証信号及び上記第１装置表示情報、上記記憶部に記憶する上記第１装置確認情報中の上記第１装置表示情報、上記第２装置確認情報中の上記第２装置表示情報、及び上記認証信号と、を用いて、
（１）上記受信した上記第２装置表示情報と上記記憶部に記憶する上記第２装置表示情報とが、同一であるか否か、
（２）上記受信した第１装置表示情報と上記記憶部に記憶する上記第１装置表示情報とが、同一であるか否か、及び、
（３）上記受信した上記認証信号と上記記憶部に記憶する上記認証信号とが、同一であるか否か、
を照合し、上記（１）から（３）の上記照合が全て上記同一であると確認されれば、
上記第１の装置と上記第２の装置間の認証又は決済の少なくともいずれか一方が行われることを特徴とする。
【図面の簡単な説明】
【００９７】
【図１】本発明の基本構造システムを示すブロック例図である。
【図２】本発明の利用者情報及び事業者情報のデータベーステーブル例図である。
【図３】本発明の特徴を表す公共交通機関利用に係るブロック例図である。
【図４】本発明の特徴を表す認証信号生成のフロー例図である。
【図５】本発明の特徴を表す第２の装置の認証に係るフロー例図である。
【図１】
2020119266.tif 000003
【図２】
2020119266.tif 000004
【図３】
2020119266.tif 000005
【図４】
2020119266.tif 000006
【図５】
2020119266.tif 000007